(57)【要約】【課題】２個のＨＤＭＩ出力部を用いて映像音声データを出力する映像音声データ出力装置を備えるホームシアターシステムにおいて、ＣＥＣによるワンタッチプレイを適切に動作させる。【解決手段】ＴＶ１１０は、ＢＤプレーヤ１４０の識別情報とＡＶアンプ１２０に音声データを出力する第２ＨＤＭＩ出力部１４２に割り当てられた物理アドレスとを対応づけて保持している機器情報保持部１１５と、ＣＥＣコマンドを送受信するＣＥＣ通信部１１４と、出力開始通知コマンドに付加された物理アドレスに従って入力を切り替える入力切替部１１７と、出力開始通知コマンドを送信した装置の識別情報と保持された識別情報とが一致するか否かを判定する判定部１１６とを備え、ＣＥＣ通信部１１４は、識別情報が一致すると判定された場合、機器情報保持部１１５に保持された物理アドレスが付加された入力切替指示コマンドをＡＶアンプ１２０へ送信する。【選択図】図１５
2011066646.tif 000002
【特許請求の範囲】
【請求項１】
音声出力装置と、２個のＨＤＭＩ出力部を用いて映像データおよび音声データを出力する映像音声データ出力装置とに、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を介してそれぞれ接続され、前記映像音声データ出力装置から出力された映像データに含まれる映像を表示する表示装置であって、
前記映像音声データ出力装置を識別するための識別情報と、前記２個のＨＤＭＩ出力部のうち、ＣＥＣ（Ｃｏｎｓｕｍｅｒ  Ｅｌｅｃｔｒｏｎｉｃｓ  Ｃｏｎｔｒｏｌ）に対応していないＨＤＭＩ出力部であって前記音声出力装置に少なくとも音声データを出力するＨＤＭＩ出力部に割り当てられた物理アドレスとを対応づけて保持している機器情報保持部と、
前記映像音声データ出力装置または前記音声出力装置とＣＥＣコマンドを送受信するＣＥＣ通信部と、
映像データおよび音声データの出力が開始されることを示す出力開始通知コマンドを前記ＣＥＣ通信部が受信した場合に、当該出力開始通知コマンドに付加された物理アドレスに従って入力を切り替える入力切替部と、
前記ＣＥＣ通信部が前記出力開始通知コマンドを受信した場合に、当該出力開始通知コマンドを送信した装置の識別情報が前記機器情報保持部に保持された識別情報と一致するか否かを判定する判定部とを備え、
前記ＣＥＣ通信部は、前記判定部によって識別情報が一致すると判定された場合、前記機器情報保持部に当該識別情報に対応づけて保持された物理アドレスが付加された、入力を切り替えることを指示する入力切替指示コマンドを、前記音声出力装置へ送信する
表示装置。
【請求項２】
前記機器情報保持部は、２個のＨＤＭＩ出力部を用いて映像データおよび音声データを出力することを通知する機器情報通知コマンドを前記ＣＥＣ通信部が受信した場合に、前記機器情報通知コマンドを送信した装置の識別情報に対応づけて当該機器情報通知コマンドに付加された物理アドレスを保持する
請求項１に記載の表示装置。
【請求項３】
前記ＣＥＣ通信部は、前記映像音声データ出力装置へ前記機器情報通知コマンドの送信を要求する機器情報要求コマンドを送信する
請求項２に記載の表示装置。
【請求項４】
前記入力切替指示コマンドは、＜Ｓｅｔ  Ｓｔｒｅａｍ  Ｐａｔｈ＞コマンドである
請求項１に記載の表示装置。
【請求項５】
音声出力装置と、２個のＨＤＭＩ出力部を用いて映像データおよび音声データを出力する映像音声データ出力装置とに、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を介してそれぞれ接続され、前記映像音声データ出力装置から出力された映像データに含まれる映像を表示する表示装置であって、
前記映像音声データ出力装置を識別するための識別情報と、前記２個のＨＤＭＩ出力部のうち、ＣＥＣ（Ｃｏｎｓｕｍｅｒ  Ｅｌｅｃｔｒｏｎｉｃｓ  Ｃｏｎｔｒｏｌ）に対応していないＨＤＭＩ出力部であって前記表示装置に少なくとも映像データを出力するＨＤＭＩ出力部に割り当てられた物理アドレスとを対応づけて保持している機器情報保持部と、
前記映像音声データ出力装置または前記音声出力装置とＣＥＣコマンドを送受信するＣＥＣ通信部と、
映像データおよび音声データの出力が開始されることを示す出力開始通知コマンドを前記ＣＥＣ通信部が受信した場合に、当該出力開始通知コマンドを送信した装置の識別情報が前記機器情報保持部に保持された識別情報と一致するか否かを判定する判定部と、
前記判定部によって識別情報が一致しないと判定された場合、前記出力開始通知コマンドに付加された物理アドレスに従って入力を切り替え、前記判定部によって識別情報が一致すると判定された場合、前記機器情報保持部に当該識別情報に対応づけて保持された物理アドレスに従って入力を切り替える入力切替部とを備える
表示装置。
【請求項６】
前記機器情報保持部は、２個のＨＤＭＩ出力部を用いて映像データおよび音声データを出力することを通知する機器情報通知コマンドを前記ＣＥＣ通信部が受信した場合に、前記機器情報通知コマンドを送信した装置の識別情報に対応づけて当該機器情報通知コマンドに付加された物理アドレスを保持する
請求項５に記載の表示装置。
【請求項７】
表示装置および音声出力装置のそれぞれとＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を介して接続され、前記表示装置および前記音声出力装置のそれぞれへ映像データおよび音声データの少なくとも一方を出力する映像音声データ出力装置であって、
少なくとも映像データをＨＤＭＩを介して前記表示装置へ出力する第１ＨＤＭＩ出力部と、
前記第１ＨＤＭＩ出力部から前記映像データが出力されているときに、少なくとも音声データをＨＤＭＩを介して前記音声出力装置へ出力する第２ＨＤＭＩ出力部と、
前記表示装置または前記音声出力装置とＣＥＣ（Ｃｏｎｓｕｍｅｒ  Ｅｌｅｃｔｒｏｎｉｃｓ  Ｃｏｎｔｒｏｌ）コマンドを前記第１ＨＤＭＩ出力部および前記第２ＨＤＭＩ出力部の一方を介して送受信するＣＥＣ通信部とを備え、
前記第１ＨＤＭＩ出力部と前記第２ＨＤＭＩ出力部とのそれぞれに割り当てられる、接続位置を示す物理アドレスは、互いに異なり、
前記ＣＥＣ通信部は、２個のＨＤＭＩ出力部を用いて映像データおよび音声データを出力することを示す情報と、前記第１ＨＤＭＩ出力部および前記第２ＨＤＭＩ出力部の他方に割り当てられた物理アドレスとが付加された機器情報通知コマンドを、前記第１ＨＤＭＩ出力部および前記第２ＨＤＭＩ出力部の一方を介して、前記表示装置および前記音声出力装置の少なくとも一方に送信する
映像音声データ出力装置。
【請求項８】
表示装置と、２個のＨＤＭＩ出力部を用いて映像データおよび音声データを出力する映像音声データ出力装置とに、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を介してそれぞれ接続され、前記映像音声データ出力装置から出力された音声データに含まれる音声を出力する音声出力装置であって、
前記映像音声データ出力装置を識別するための識別情報と、前記２個のＨＤＭＩ出力部のうち、ＣＥＣ（Ｃｏｎｓｕｍｅｒ  Ｅｌｅｃｔｒｏｎｉｃｓ  Ｃｏｎｔｒｏｌ）に対応していないＨＤＭＩ出力部であって前記音声出力装置に少なくとも音声データを出力するＨＤＭＩ出力部に割り当てられた物理アドレスとを対応づけて保持している機器情報保持部と、
前記映像音声データ出力装置または前記表示装置とＣＥＣコマンドを送受信するＣＥＣ通信部と、
映像データおよび音声データの出力が開始されることを示す出力開始通知コマンドを前記ＣＥＣ通信部が受信した場合に、当該出力開始通知コマンドを送信した装置の識別情報が前記機器情報保持部に保持された識別情報と一致するか否かを判定する判定部と、
前記判定部によって識別情報が一致しないと判定された場合、前記出力開始通知コマンドに付加された物理アドレスに従って入力を切り替え、前記判定部によって識別情報が一致すると判定された場合、前記出力開始通知コマンドに付加された物理アドレスに従って入力を切り替えない入力切替部とを備える
音声出力装置。
【請求項９】
前記機器情報保持部は、２個のＨＤＭＩ出力部を用いて映像データおよび音声データを出力することを通知する機器情報通知コマンドを前記ＣＥＣ通信部が受信した場合に、前記機器情報通知コマンドを送信した装置の識別情報に対応づけて当該機器情報通知コマンドに付加された物理アドレスを保持する
請求項８に記載の音声出力装置。
【請求項１０】
前記入力切替部は、前記ＣＥＣ通信部が前記表示装置から受信した入力切替指示コマンドに付加された物理アドレスに従って、入力を切り替える
請求項８に記載の音声出力装置。
【請求項１１】
前記入力切替指示コマンドは、＜Ｓｅｔ  Ｓｔｒｅａｍ  Ｐａｔｈ＞コマンドである
請求項１０に記載の音声出力装置。
【請求項１２】
前記入力切替部は、前記判定部によって識別情報が一致すると判定された場合、前記機器情報保持部に当該識別情報に対応づけて保持された物理アドレスに従って入力を切り替える
請求項８に記載の音声出力装置。
【請求項１３】
表示装置と音声出力装置と少なくとも２個のＨＤＭＩ出力部を用いて映像データおよび音声データを出力する映像音声データ出力装置とが互いにＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を介して接続されたＡＶシステムにおいて用いられる入力切替制御方法であって、
前記映像音声データ出力装置が、前記少なくとも２個のＨＤＭＩ出力部のうち、ＣＥＣ（Ｃｏｎｓｕｍｅｒ  Ｅｌｅｃｔｒｏｎｉｃｓ  Ｃｏｎｔｒｏｌ）に対応しているＨＤＭＩ出力部であって前記表示装置に少なくとも映像データを出力するＨＤＭＩ出力部に割り当てられた物理アドレスが付加された、映像データおよび音声データの出力が開始されることを示す出力開始通知コマンドを、前記表示装置および前記音声出力装置に送信する出力開始通知コマンド送信ステップと、
前記表示装置が、前記出力開始通知コマンド送信ステップにおいて送信された出力開始通知コマンドに付加された物理アドレスに従って入力を切り替える第１入力切替ステップと、
前記表示装置が、前記出力開始通知コマンドを送信した装置の識別情報が機器情報保持部に保持された識別情報と一致するか否かを判定する判定ステップと、
前記判定ステップにおいて識別情報が一致すると判定された場合、前記表示装置が、機器情報保持部に当該識別情報に対応づけて保持された物理アドレスが付加された、入力を切り替えることを指示する入力切替指示コマンドを、前記音声出力装置へ送信する入力切替指示コマンド送信ステップと、
前記音声出力装置が、入力切替指示コマンド送信ステップおいて送信された入力切替指示コマンドに付加された物理アドレスに従って、入力を切り替える第２入力切替ステップとを含み、
前記機器情報保持部は、前記少なくとも２個のＨＤＭＩ出力部のうち、ＣＥＣに対応していないＨＤＭＩ出力部であって前記音声出力装置に少なくとも音声データを出力するＨＤＭＩ出力部に割り当てられた物理アドレスを前記映像音声データ出力装置の識別情報に対応づけて保持している
入力切替制御方法。
【請求項１４】
表示装置と音声出力装置と２個のＨＤＭＩ出力部を用いて映像データおよび音声データを出力する映像音声データ出力装置とが互いにＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を介して接続されたＡＶシステムにおいて用いられる入力切替制御方法であって、
前記映像音声データ出力装置が、前記２個のＨＤＭＩ出力部のうち、ＣＥＣ（Ｃｏｎｓｕｍｅｒ  Ｅｌｅｃｔｒｏｎｉｃｓ  Ｃｏｎｔｒｏｌ）に対応しているＨＤＭＩ出力部であって前記表示装置に少なくとも映像データを出力するＨＤＭＩ出力部に割り当てられた物理アドレスが付加された、映像データおよび音声データの出力が開始されることを示す出力開始通知コマンドを、前記表示装置および前記音声出力装置に送信する出力開始通知コマンド送信ステップと、
前記表示装置が、前記出力開始通知コマンド送信ステップにおいて送信された出力開始通知コマンドに付加された物理アドレスに従って入力を切り替える第１入力切替ステップと、
前記音声出力装置が、前記出力開始通知コマンド送信ステップにおいて送信された出力開始通知コマンドを送信した装置の識別情報が機器情報保持部に保持された識別情報と一致するか否かを判定する判定ステップと、
前記判定ステップにおいて識別情報が一致すると判定された場合、前記音声出力装置が、前記機器情報保持部に当該識別情報に対応づけて保持された物理アドレスに従って入力を切り替える第２入力切替ステップとを含み、
前記機器情報保持部は、前記２個のＨＤＭＩ出力部のうち、ＣＥＣに対応していないＨＤＭＩ出力部であって前記音声出力装置に少なくとも音声データを出力するＨＤＭＩ出力部に割り当てられた物理アドレスを前記映像音声データ出力装置の識別情報に対応づけて保持している
入力切替制御方法。
【請求項１５】
表示装置と音声出力装置と２個のＨＤＭＩ出力部を用いて映像データおよび音声データを出力する映像音声データ出力装置とが互いにＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を介して接続されたＡＶシステムにおいて用いられる入力切替制御方法であって、
前記映像音声データ出力装置が、前記２個のＨＤＭＩ出力部のうち、ＣＥＣ（Ｃｏｎｓｕｍｅｒ  Ｅｌｅｃｔｒｏｎｉｃｓ  Ｃｏｎｔｒｏｌ）に対応しているＨＤＭＩ出力部であって前記音声出力装置に少なくとも音声データを出力するＨＤＭＩ出力部に割り当てられた物理アドレスが付加された、映像データおよび音声データの出力が開始されることを示す出力開始通知コマンドを、前記表示装置および前記音声出力装置に送信する出力開始通知コマンド送信ステップと、
前記音声出力装置が、前記出力開始通知コマンド送信ステップにおいて送信された出力開始通知コマンドに付加された物理アドレスに従って入力を切り替える第１入力切替ステップと、
前記表示装置が、前記出力開始通知コマンド送信ステップにおいて送信された出力開始通知コマンドを送信した装置の識別情報が機器情報保持部に保持された識別情報と一致するか否かを判定する判定ステップと、
前記判定ステップにおいて識別情報が一致すると判定された場合、前記表示装置が、前記機器情報保持部に当該識別情報に対応づけて保持された物理アドレスに従って入力を切り替える第２入力切替ステップとを含み、
前記機器情報保持部は、前記２個のＨＤＭＩ出力部のうち、ＣＥＣに対応していないＨＤＭＩ出力部であって前記表示装置に少なくとも映像データを出力するＨＤＭＩ出力部に割り当てられた物理アドレスを前記映像音声データ出力装置の識別情報に対応づけて保持している
入力切替制御方法。
【発明の詳細な説明】
【技術分野】
【０００１】
本発明は、ＡＶシステムに含まれる表示装置、映像音声データ出力装置、または音声出力装置などに関するものである。
【背景技術】
【０００２】
近年、ＡＶ機器の高画質化、高音質化が進み、一般家庭においても、ＤＶＤ（Ｄｉｇｉｔａｌ  Ｖｅｒｓａｔｉｌｅ  Ｄｉｓｃ）プレーヤ、ＢＤ（Ｂｌｕ−ｒａｙ  Ｄｉｓｃ（登録商標））プレーヤ、およびＡＶ（Ａｕｄｉｏ−Ｖｉｓｕａｌ）アンプなどを用いたホームシアターシステムが普及してきている。
【０００３】
また、ネットワークあるいはＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などの普及に伴い、複数のＡＶ機器が互いに連携した動作を行うことで、様々な付加機能を提供するいわゆるリンク機能が普及してきている。このリンク機能の中には、例えばＢＤプレーヤの再生を開始したときに、自動的にテレビの電源がオンになり、かつ、テレビおよびＡＶアンプの入力がＢＤプレーヤからの入力に切り替わる機能がある。この機能により、ユーザは、いちいちテレビあるいはＡＶアンプの操作をしなくても、簡単にＢＤプレーヤが再生しているコンテンツを視聴できる。一般的に、こうした機能はワンタッチプレイと呼ばれている。
【０００４】
このワンタッチプレイなどのリンク機能を実現するために、ＨＤＭＩ規格では、ＣＥＣ（Ｃｏｎｓｕｍｅｒ  Ｅｌｅｃｔｒｏｎｉｃｓ  Ｃｏｎｔｒｏｌ）という機器制御用のプロトコルが規定されている（非特許文献１を参照）。
【０００５】
ホームシアターシステムにおけるワンタッチプレイの動作の一例について、図１から図６を用いて説明する。
【０００６】
（ホームシアターシステムの構成）
図１は、一般的なホームシアターシステムの構成の一例を示す図である。図１に示すように、ホームシアターシステム１は、ＴＶ１０と、ＡＶアンプ２０と、ＢＤプレーヤ３０とを備える。
【０００７】
ＴＶ１０は、２個のＨＤＭＩ入力部（第１ＨＤＭＩ入力部１１および第２ＨＤＭＩ入力部１２）と、音声出力部（光デジタル音声出力部）１３とを有している。
【０００８】
ＡＶアンプ２０は、１個のＨＤＭＩ出力部２１と、２個のＨＤＭＩ入力部（第１ＨＤＭＩ入力部２２および第２ＨＤＭＩ入力部２３）と、音声入力部（光デジタル音声入力部）２４と、スピーカ出力部２５とを有している。
【０００９】
ＢＤプレーヤ３０は、１個のＨＤＭＩ出力部３１を有している。
ＴＶ１０の第１ＨＤＭＩ入力部１１とＡＶアンプ２０のＨＤＭＩ出力部２１とは、ＨＤＭＩケーブル７０を用いて接続される。また、ＴＶ１０の音声出力部１３とＡＶアンプ２０の音声入力部２４とは、光デジタル音声ケーブルなどの音声ケーブル８０を用いて接続される。また、ＡＶアンプ２０の第１ＨＤＭＩ入力部１１とＢＤプレーヤ３０のＨＤＭＩ出力部３１とは、ＨＤＭＩケーブル７０を用いて接続される。また、ＡＶアンプ２０のスピーカ出力部２５とスピーカ６０とは、スピーカケーブル９０を用いて接続される。
【００１０】
（各機器の物理アドレス）
図２は、ＨＤＭＩ規格における物理アドレスの割り当て方法の説明図である。
【００１１】
ＨＤＭＩケーブル７０を用いて接続された各機器には、接続位置を示す物理アドレス（以下、「Ｐ．Ａ．（Ｐｈｙｓｉｃａｌ  Ａｄｄｒｅｓｓ）」と略記する。）が割り当てられる。この物理アドレスは、４ビットずつ４つに区切られた１６ビットの数値によって表される機器識別番号である。一般的に、ＨＤＭＩ機器の接続構成は、図２に示すような、ルート機器を頂点とするツリー構造となっている。通常、ＴＶがルート機器となる。
【００１２】
このルート機器には、［０．０．０．０］の物理アドレスが割り当てられる。そして、ルート機器に直接接続される機器には、順に［１．０．０．０］、［２．０．０．０］、・・・の物理アドレスが割り当てられる。さらに、［１．０．０．０］が割り当てられた機器に接続される機器には、順に［１．１．０．０］、［１．２．０．０］、・・・の物理アドレスが割り当てられる。図２に示すように、同じ機器に接続される機器には、同じ位置の数値が異なる物理アドレスが割り当てられる。また、接続される段数が増えるに従い、変動する数値の位置が１つずつ右にずれていくように物理アドレスが割り当てられる。
【００１３】
（ＢＤプレーヤ３０で再生された映像および音声が出力されている時の映像データおよび音声データの流れ）
図３は、ＢＤプレーヤで再生された映像および音声が出力されている時の映像データおよび音声データの流れを示す図である。
【００１４】
ＢＤプレーヤ３０は、映像データと音声データとを、ＨＤＭＩケーブル７０を介してＡＶアンプ２０に出力する。
【００１５】
ＡＶアンプ２０は、受け取った音声データをアナログ変換する。そして、ＡＶアンプ２０は、アナログ変換後の音声をスピーカケーブル９０を介してスピーカ６０に出力する。もし受け取った音声データが圧縮されたデータであった場合には、ＡＶアンプ２０は、音声データを伸張した後に、伸張された音声データをアナログ変換する。
【００１６】
また、ＡＶアンプ１２０は、受け取った映像データをＨＤＭＩケーブル７０を介してそのままＴＶ１１０に出力する。
【００１７】
ＴＶ１１０は、ＡＶアンプ１２０から受け取った映像データに含まれる映像を表示する。
【００１８】
（ＴＶ１０で生成された映像および音声が出力されている時の映像データおよび音声データの流れ）
図４は、ＴＶ（Ｔｅｌｅｖｉｓｉｏｎ）で生成された映像および音声が出力されている時の映像データおよび音声データの流れを示す図である。
【００１９】
ＴＶ１０は、受信したＴＶ放送に含まれる映像を表示する。また、ＴＶ１０は、ＴＶ放送中の音声データを、音声ケーブル８０を介してＡＶアンプ２０に出力する。
【００２０】
ＡＶアンプ２０は、ＴＶ１０から受け取った音声データをアナログ変換する。そして、ＡＶアンプ２０は、アナログ変換後の音声をスピーカケーブル９０を介してスピーカ６０に出力する。もし受け取った音声データが圧縮されたデータであった場合には、ＡＶアンプ２０は、音声データを伸張した後にアナログ変換する。
【００２１】
（ワンタッチプレイ動作）
視聴機器を変更する場合には、通常ユーザはＴＶ１０およびＡＶアンプ２０の入力を手動で切り替える必要があった。しかし、各機器がＣＥＣに対応していれば、ＣＥＣコマンドを用いることで、自動的に入力切替が実施される。
【００２２】
図５は、ＢＤプレーヤの再生が開始された時のＣＥＣコマンドのシーケンス図である。
ＢＤプレーヤ３０の再生が開始された場合、ＢＤプレーヤ３０は、ＨＤＭＩで接続された全機器に向けて＜Ａｃｔｉｖｅ  Ｓｏｕｒｃｅ＞コマンドを送信する。＜Ａｃｔｉｖｅ  Ｓｏｕｒｃｅ＞コマンドには、送信元（この場合、ＢＤプレーヤ３０）の物理アドレスが付加される。ＡＶアンプ２０およびＴＶ１０は、＜Ａｃｔｉｖｅ  Ｓｏｕｒｃｅ＞コマンドに付加されている物理アドレスを参照することで、入力を適切な入力に切り替えることができる。
【００２３】
図５の場合は、＜Ａｃｔｉｖｅ  Ｓｏｕｒｃｅ＞コマンドに付加されている物理アドレスが［１．１．０．０］なので、ＴＶ１０は左から１個目の数値に従い第１ＨＤＭＩ入力部１１からの入力に、ＡＶアンプ２０は左から２個目の数値に従い第１ＨＤＭＩ入力部２２からの入力に、それぞれ入力を切り替える。これにより、ユーザが手動で各機器の入力切替を実施しなくても、ＢＤプレーヤ３０が再生するコンテンツを、ユーザはＴＶ１０およびＡＶアンプ２０を用いて視聴することができる。
【００２４】
図６は、ＴＶの内部チューナが選択された時のＣＥＣコマンドのシーケンス図である。
ＴＶ１０の内部チューナ（のいずれかのチャンネル）が選択された場合、ＴＶ１０は全機器に向けて＜Ａｃｔｉｖｅ  Ｓｏｕｒｃｅ＞コマンドを送信する。このとき＜Ａｃｔｉｖｅ  Ｓｏｕｒｃｅ＞コマンドには、ＴＶ１０の物理アドレス［０．０．０．０］が付加される。
【００２５】
ＡＶアンプ２０は、＜Ａｃｔｉｖｅ  Ｓｏｕｒｃｅ＞コマンドに付加されている物理アドレスが［０．０．０．０］の場合は、音声入力部２４からの入力に入力を切り替える。これにより、ユーザは、手動でＡＶアンプ２０の入力切替を実施しなくても、ＴＶ１０で視聴しているコンテンツの音声をＡＶアンプ２０を用いて聴くことができる。
【００２６】
（その他のＡＶアンプ２０の自動入力切替動作）
またＡＶアンプ２０は、ＴＶ１０などから送信される＜Ｓｅｔ  Ｓｔｒｅａｍ  Ｐａｔｈ＞コマンドを受信した場合、＜Ｓｅｔ  Ｓｔｒｅａｍ  Ｐａｔｈ＞コマンドに付加されている物理アドレスを参照することで、＜Ａｃｔｉｖｅ  Ｓｏｕｒｃｅ＞コマンド受信時と同様に入力を適切な入力に切り替えることができる。このようなコマンドは、例えば、ＡＶアンプ２０に接続されている再生装置が、ＣＥＣに対応していない場合に、ＡＶアンプ２０の入力を適切な入力に切り替えるためなどに使用される。
【００２７】
以上のようにして、ＣＥＣを用いることで、ホームシアターシステムは、ワンタッチプレイを実現することができる。
【００２８】
また、＜Ａｃｔｉｖｅ  Ｓｏｕｒｃｅ＞コマンドおよび＜Ｓｅｔ  Ｓｔｒｅａｍ  Ｐａｔｈ＞コマンドを用いた機器の制御技術も各種提案されている（例えば、特許文献１を参照）。
【先行技術文献】
【特許文献】
【００２９】
【特許文献１】特開２００９−０２１６９０号公報
【非特許文献】
【００３０】
【非特許文献１】ＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ）
【発明の概要】
【発明が解決しようとする課題】
【００３１】
映像技術あるいは音声技術の進歩に伴い、データ伝送用インタフェースも新技術に対応していくことが少なくない。例えば、ＨＤＭＩにおいては、バージョン１．４で３Ｄ（３−Ｄｉｍｅｎｓｉｏｎ：３次元）映像および４ｋ２ｋと呼ばれる超高精細映像などの高品位映像の伝送が追加されることが検討されている。
【００３２】
しかし、ホームシアターシステムは、必ずしも全ての機器を新しい規格に対応したもので構成されるとは限らない。例えば、ＴＶとＢＤプレーヤとが３Ｄ映像などの高品位映像の伝送に対応していても、ＡＶアンプが高品位映像の伝送に対応していないというケースが考えられる。この場合、図１に示すように各機器が接続されれば、ＢＤプレーヤは、ＡＶアンプが高品位映像の伝送に対応していないことにより、高品位映像を出力できない。つまり、ＢＤプレーヤは、従来の映像を出力し、ユーザは高品位映像を視聴することができない。
【００３３】
そこで、例えばＢＤプレーヤに２個のＨＤＭＩ出力部を搭載し、一方をＴＶに、他方をＡＶアンプに直接接続するという構成が考えられる。
【００３４】
図７は、２個のＨＤＭＩ出力部を有するＢＤプレーヤを含むホームシアターシステムの構成の一例を示す図である。図７に示すように、ホームシアターシステム２は、ＢＤプレーヤ３０の代わりに２個のＨＤＭＩ出力部を有するＢＤプレーヤ４０を備え、ＴＶ１０とＢＤプレーヤ４０とが直接接続される。
【００３５】
ＢＤプレーヤ４０の第１ＨＤＭＩ出力部４１は、ＴＶ１０の第１ＨＤＭＩ入力部１１にＨＤＭＩケーブル７０を介して接続される。また、ＢＤプレーヤ４０の第２ＨＤＭＩ出力部４２は、ＡＶアンプ２０の第１ＨＤＭＩ入力部２２にＨＤＭＩケーブル７０を介して接続される。
【００３６】
ＢＤプレーヤ４０の第１ＨＤＭＩ出力部４１および第２ＨＤＭＩ出力部４２は、仮想的に別々のＨＤＭＩ機器と扱われる。そのため、図７に示すように、第１ＨＤＭＩ出力部４１および第２ＨＤＭＩ出力部４２には、それぞれ異なる物理アドレスが割り当てられる。
【００３７】
このとき、ＢＤプレーヤ４０は、第１ＨＤＭＩ出力部４１から高品位映像が含まれた映像データを、第２ＨＤＭＩ出力部４２から音声データを、それぞれ同時に出力する。その結果、ＡＶアンプ２０がＢＤプレーヤ４０で再生された音声を出力しているときに、ＴＶ１０は、ＢＤプレーヤ４０で再生された高品位映像を表示することが可能となる。
【００３８】
ただし、この場合、以下に示すように、ＣＥＣによるワンタッチプレイが正しく動作しないという問題点がある。
【００３９】
図８は、第１ＨＤＭＩ出力部の物理アドレスをパラメータとした場合のＢＤプレーヤ再生開始時のＣＥＣコマンドのシーケンス図である。図９は、第２ＨＤＭＩ出力の物理アドレスをパラメータとした場合のＢＤプレーヤ再生開始時のＣＥＣコマンドのシーケンス図である。
【００４０】
図８に示すように、＜Ａｃｔｉｖｅ  Ｓｏｕｒｃｅ＞コマンドに物理アドレス［１．０．０．０］が付加された場合は、ＴＶ１０は、物理アドレスの左から１個目の数値に従い入力を第１ＨＤＭＩ入力部１１からの入力に切り替える。一方、ＡＶアンプ２０は、物理アドレスの左から１個目の数値が自身の物理アドレス［２．０．０．０］の左から１個目の数値と異なっているので、入力を音声入力部２４からの入力に切り替える。
【００４１】
その結果、ＴＶ１０には３Ｄ映像が表示される。しかし、スピーカ６０からは、音声が出力されない、または、ＴＶ１０が第１ＨＤＭＩ入力部１１から入力された音声データに含まれる低品位な音声（例えば２チャンネル音声）が出力される（ＴＶ１０の仕様によって異なる）。
【００４２】
また、図９に示すように、＜Ａｃｔｉｖｅ  Ｓｏｕｒｃｅ＞コマンドに物理アドレス［２．１．０．０］が付加された場合は、ＡＶアンプ２０は左から２個目の数値に従い入力を第１ＨＤＭＩ入力部１１からの入力に切り替える。一方、ＴＶ１０は、物理アドレスの左から１個目の数値に従い第２ＨＤＭＩ入力部１２からの入力に切り替える。
【００４３】
その結果、スピーカ６０からは、高品位な音声（例えば７．１チャンネルサラウンド音声）が出力される。しかし、ＴＶ１０には映像が表示されない、または、通常の映像が表示される（ＢＤプレーヤ４０が第２ＨＤＭＩ出力部４２から映像データを出力するかどうかで決まる）。
【００４４】
以上のように、３Ｄ映像と高品位音声とを同時に視聴するために図７のようにホームシアターシステムが構成された場合、ＣＥＣによるワンタッチプレイが適切に動作しないという問題点があった。
【００４５】
同様の問題は、３Ｄ映像だけではなく、超高精細映像など、技術の進歩により新しい映像が生み出されるたびに発生する。
【００４６】
また、視聴したい映像データにＡＶアンプが対応していた場合でも、映像データは直接ＴＶに、音声データは直接ＡＶアンプに、それぞれ伝送したいというニーズもある。この場合も、ホームシアターシステムは図７のような構成となるので、上記と同様の問題点が発生する。
【００４７】
そこで、本発明は、２個のＨＤＭＩ出力部を用いて映像データおよび音声データを出力する映像音声データ出力装置を備えるホームシアターシステムにおいて、ＣＥＣによるワンタッチプレイを適切に動作させることができる表示装置、映像音声データ出力装置、および音声出力装置を提供することを目的とする。
【課題を解決するための手段】
【００４８】
上記目的を達成するために、本発明の一態様である表示装置は、音声出力装置と、２個のＨＤＭＩ出力部を用いて映像データおよび音声データを出力する映像音声データ出力装置とに、ＨＤＭＩを介してそれぞれ接続され、前記映像音声データ出力装置から出力された映像データに含まれる映像を表示する表示装置であって、前記映像音声データ出力装置を識別するための識別情報と、前記２個のＨＤＭＩ出力部のうち、ＣＥＣに対応していないＨＤＭＩ出力部であって前記音声出力装置に少なくとも音声データを出力するＨＤＭＩ出力部に割り当てられた物理アドレスとを対応づけて保持している機器情報保持部と、前記映像音声データ出力装置または前記音声出力装置とＣＥＣコマンドを送受信するＣＥＣ通信部と、映像データおよび音声データの出力が開始されることを示す出力開始通知コマンドを前記ＣＥＣ通信部が受信した場合に、当該出力開始通知コマンドに付加された物理アドレスに従って入力を切り替える入力切替部と、前記ＣＥＣ通信部が前記出力開始通知コマンドを受信した場合に、当該出力開始通知コマンドを送信した装置の識別情報が前記機器情報保持部に保持された識別情報と一致するか否かを判定する判定部とを備え、前記ＣＥＣ通信部は、前記判定部によって識別情報が一致すると判定された場合、前記機器情報保持部に当該識別情報に対応づけて保持された物理アドレスが付加された、入力を切り替えることを指示する入力切替指示コマンドを、前記音声出力装置へ送信する。
【００４９】
これにより、映像音声データ出力装置から受信した出力開始通知コマンドに従って入力を切り替えることができるとともに、音声出力装置に適切な入力切替を実行させることが可能となる。つまり、映像音声データ出力装置が２個のＨＤＭＩ出力部を用いて映像データおよび音声データを出力する場合であっても、適切に入力を切り替えることができる。すなわち、２個のＨＤＭＩ出力部を用いて映像データおよび音声データを出力する映像音声データ出力装置を備えるホームシアターシステムにおいて、ＣＥＣによるワンタッチプレイを適切に動作させることができる。
【００５０】
また、前記機器情報保持部は、２個のＨＤＭＩ出力部を用いて映像データおよび音声データを出力することを通知する機器情報通知コマンドを前記ＣＥＣ通信部が受信した場合に、前記機器情報通知コマンドを送信した装置の識別情報に対応づけて当該機器情報通知コマンドに付加された物理アドレスを保持することが好ましい。
【００５１】
これにより、ＨＤＭＩ接続された映像音声データ出力装置から送信されたＣＥＣコマンドに従って、２個のＨＤＭＩ出力部を用いて映像データおよび音声データを出力する映像音声データ出力装置に関する情報を容易に保持することが可能となる。
【００５２】
また、前記ＣＥＣ通信部は、前記映像音声データ出力装置へ前記機器情報通知コマンドの送信を要求する機器情報要求コマンドを送信することが好ましい。
【００５３】
これにより、受信準備が整った任意のタイミングで、機器情報通知コマンドを受信することが可能となる。
【００５４】
また、前記入力切替指示コマンドは、＜Ｓｅｔ  Ｓｔｒｅａｍ  Ｐａｔｈ＞コマンドであることが好ましい。
【００５５】
これにより、一般的なＣＥＣコマンドを用いて入力切替を指示することが可能となる。
また、本発明の一態様である表示装置は、音声出力装置と、２個のＨＤＭＩ出力部を用いて映像データおよび音声データを出力する映像音声データ出力装置とに、ＨＤＭＩを介してそれぞれ接続され、前記映像音声データ出力装置から出力された映像データに含まれる映像を表示する表示装置であって、前記映像音声データ出力装置を識別するための識別情報と、前記２個のＨＤＭＩ出力部のうち、ＣＥＣに対応していないＨＤＭＩ出力部であって前記表示装置に少なくとも映像データを出力するＨＤＭＩ出力部に割り当てられた物理アドレスとを対応づけて保持している機器情報保持部と、前記映像音声データ出力装置または前記音声出力装置とＣＥＣコマンドを送受信するＣＥＣ通信部と、映像データおよび音声データの出力が開始されることを示す出力開始通知コマンドを前記ＣＥＣ通信部が受信した場合に、当該出力開始通知コマンドを送信した装置の識別情報が前記機器情報保持部に保持された識別情報と一致するか否かを判定する判定部と、前記判定部によって識別情報が一致しないと判定された場合、前記出力開始通知コマンドに付加された物理アドレスに従って入力を切り替え、前記判定部によって識別情報が一致すると判定された場合、前記機器情報保持部に当該識別情報に対応づけて保持された物理アドレスに従って入力を切り替える入力切替部とを備える。
【００５６】
これにより、映像音声データ出力装置から受信した出力開始通知コマンドに従って適切に入力を切り替えることが可能となる。つまり、映像音声データ出力装置が２個のＨＤＭＩ出力部を用いて映像データおよび音声データを出力する場合であっても、適切に入力を切り替えることができる。すなわち、２個のＨＤＭＩ出力部を用いて映像データおよび音声データを出力する映像音声データ出力装置を備えるホームシアターシステムにおいて、ＣＥＣによるワンタッチプレイを適切に動作させることができる。
【００５７】
また、前記機器情報保持部は、２個のＨＤＭＩ出力部を用いて映像データおよび音声データを出力することを通知する機器情報通知コマンドを前記ＣＥＣ通信部が受信した場合に、前記機器情報通知コマンドを送信した装置の識別情報に対応づけて当該機器情報通知コマンドに付加された物理アドレスを保持することが好ましい。
【００５８】
これにより、ＨＤＭＩ接続された装置から送信されたＣＥＣコマンドに従って、２個のＨＤＭＩ出力部を用いて映像データおよび音声データを出力する映像音声データ出力装置に関する情報を容易に保持することが可能となる。
【００５９】
また、本発明の一態様である映像音声データ出力装置は、表示装置および音声出力装置のそれぞれとＨＤＭＩを介して接続され、前記表示装置および前記音声出力装置のそれぞれへ映像データおよび音声データの少なくとも一方を出力する映像音声データ出力装置であって、少なくとも映像データをＨＤＭＩを介して前記表示装置へ出力する第１ＨＤＭＩ出力部と、前記第１ＨＤＭＩ出力部から前記映像データが出力されているときに、少なくとも音声データをＨＤＭＩを介して前記音声出力装置へ出力する第２ＨＤＭＩ出力部と、前記表示装置または前記音声出力装置とＣＥＣコマンドを前記第１ＨＤＭＩ出力部および前記第２ＨＤＭＩ出力部の一方を介して送受信するＣＥＣ通信部とを備え、前記第１ＨＤＭＩ出力部と前記第２ＨＤＭＩ出力部とのそれぞれに割り当てられる、接続位置を示す物理アドレスは、互いに異なり、前記ＣＥＣ通信部は、２個のＨＤＭＩ出力部を用いて映像データおよび音声データを出力することを示す情報と、前記第１ＨＤＭＩ出力部および前記第２ＨＤＭＩ出力部の他方に割り当てられた物理アドレスとが付加された機器情報通知コマンドを、前記第１ＨＤＭＩ出力部および前記第２ＨＤＭＩ出力部の一方を介して、前記表示装置および前記音声出力装置の少なくとも一方に送信する。
【００６０】
これにより、２個のＨＤＭＩ出力部を用いて映像データおよび音声データを出力する場合に、適切な入力切替が実施されるための機器情報を、ＨＤＭＩ接続された他の装置に送信することが可能となる。
【００６１】
また、本発明の一態様である音声出力装置は、表示装置と、２個のＨＤＭＩ出力部を用いて映像データおよび音声データを出力する映像音声データ出力装置とに、ＨＤＭＩを介してそれぞれ接続され、前記映像音声データ出力装置から出力された音声データに含まれる音声を出力する音声出力装置であって、前記映像音声データ出力装置を識別するための識別情報と、前記２個のＨＤＭＩ出力部のうち、ＣＥＣに対応していないＨＤＭＩ出力部であって前記音声出力装置に少なくとも音声データを出力するＨＤＭＩ出力部に割り当てられた物理アドレスとを対応づけて保持している機器情報保持部と、前記映像音声データ出力装置または前記表示装置とＣＥＣコマンドを送受信するＣＥＣ通信部と、映像データおよび音声データの出力が開始されることを示す出力開始通知コマンドを前記ＣＥＣ通信部が受信した場合に、当該出力開始通知コマンドを送信した装置の識別情報が前記機器情報保持部に保持された識別情報と一致するか否かを判定する判定部と、前記判定部によって識別情報が一致しないと判定された場合、前記出力開始通知コマンドに付加された物理アドレスに従って入力を切り替え、前記判定部によって識別情報が一致すると判定された場合、前記出力開始通知コマンドに付加された物理アドレスに従って入力を切り替えない入力切替部とを備える。
【００６２】
これにより、２個のＨＤＭＩ出力部を用いて映像データおよび音声データを出力する映像音声データ出力装置から出力開始通知コマンドを受信した場合に、切り替えるべき入力とは異なる入力に切り替えることを抑制することが可能となる。
【００６３】
また、前記機器情報保持部は、２個のＨＤＭＩ出力部を用いて映像データおよび音声データを出力することを通知する機器情報通知コマンドを前記ＣＥＣ通信部が受信した場合に、前記機器情報通知コマンドを送信した装置の識別情報に対応づけて当該機器情報通知コマンドに付加された物理アドレスを保持することが好ましい。
【００６４】
これにより、ＨＤＭＩ接続された映像音声データ出力装置から送信されたＣＥＣコマンドに従って、２個のＨＤＭＩ出力部を用いて映像データおよび音声データを出力する映像音声データ出力装置に関する情報を容易に保持することが可能となる。
【００６５】
また、前記入力切替部は、前記ＣＥＣ通信部が前記表示装置から受信した入力切替指示コマンドに付加された物理アドレスに従って、入力を切り替えるとしてもよい。
【００６６】
これにより、映像音声データ出力装置が２個のＨＤＭＩ出力部を用いて映像データおよび音声データを出力する場合であっても、適切に入力を切り替えることができる。
【００６７】
また、前記入力切替指示コマンドは、＜Ｓｅｔ  Ｓｔｒｅａｍ  Ｐａｔｈ＞コマンドであることが好ましい。
【００６８】
これにより、一般的なＣＥＣコマンドを用いて入力切替を指示することが可能となる。
また、前記入力切替部は、前記判定部によって識別情報が一致すると判定された場合、前記機器情報保持部に当該識別情報に対応づけて保持された物理アドレスに従って入力を切り替えるとしてもよい。
【００６９】
映像音声データ出力装置から受信した出力開始通知コマンドに従って適切に入力を切り替えることが可能となる。つまり、映像音声データ出力装置が２個のＨＤＭＩ出力部を用いて映像データおよび音声データを出力する場合であっても、適切に入力を切り替えることができる。
【００７０】
また、本発明の一態様である入力切替制御方法は、表示装置と音声出力装置と少なくとも２個のＨＤＭＩ出力部を用いて映像データおよび音声データを出力する映像音声データ出力装置とが互いにＨＤＭＩを介して接続されたＡＶシステムにおいて用いられる入力切替制御方法であって、前記映像音声データ出力装置が、前記少なくとも２個のＨＤＭＩ出力部のうち、ＣＥＣに対応しているＨＤＭＩ出力部であって前記表示装置に少なくとも映像データを出力するＨＤＭＩ出力部に割り当てられた物理アドレスが付加された、映像データおよび音声データの出力が開始されることを示す出力開始通知コマンドを、前記表示装置および前記音声出力装置に送信する出力開始通知コマンド送信ステップと、前記表示装置が、前記出力開始通知コマンド送信ステップにおいて送信された出力開始通知コマンドに付加された物理アドレスに従って入力を切り替える第１入力切替ステップと、前記表示装置が、前記出力開始通知コマンドを送信した装置の識別情報が機器情報保持部に保持された識別情報と一致するか否かを判定する判定ステップと、前記判定ステップにおいて識別情報が一致すると判定された場合、前記表示装置が、機器情報保持部に当該識別情報に対応づけて保持された物理アドレスが付加された、入力を切り替えることを指示する入力切替指示コマンドを、前記音声出力装置へ送信する入力切替指示コマンド送信ステップと、前記音声出力装置が、入力切替指示コマンド送信ステップおいて送信された入力切替指示コマンドに付加された物理アドレスに従って、入力を切り替える第２入力切替ステップとを含み、前記機器情報保持部は、前記少なくとも２個のＨＤＭＩ出力部のうち、ＣＥＣに対応していないＨＤＭＩ出力部であって前記音声出力装置に少なくとも音声データを出力するＨＤＭＩ出力部に割り当てられた物理アドレスを前記映像音声データ出力装置の識別情報に対応づけて保持している。
【００７１】
これにより、２個のＨＤＭＩ出力部を用いて映像データおよび音声データを出力する映像音声データ出力装置を備えるＡＶシステムにおいて、映像音声データ出力装置から映像データおよび音声データの出力が開始されたときに、表示装置および音声出力装置は、自動的に適切な入力に切り替えることが可能となる。すなわち、２個のＨＤＭＩ出力部を用いて映像データおよび音声データを出力する映像音声データ出力装置を備えるホームシアターシステムにおいて、ＣＥＣによるワンタッチプレイを適切に動作させることができる。
【００７２】
また、本発明の一態様である入力切替制御方法は、表示装置と音声出力装置と２個のＨＤＭＩ出力部を用いて映像データおよび音声データを出力する映像音声データ出力装置とが互いにＨＤＭＩを介して接続されたＡＶシステムにおいて用いられる入力切替制御方法であって、前記映像音声データ出力装置が、前記２個のＨＤＭＩ出力部のうち、ＣＥＣに対応しているＨＤＭＩ出力部であって前記表示装置に少なくとも映像データを出力するＨＤＭＩ出力部に割り当てられた物理アドレスが付加された、映像データおよび音声データの出力が開始されることを示す出力開始通知コマンドを、前記表示装置および前記音声出力装置に送信する出力開始通知コマンド送信ステップと、前記表示装置が、前記出力開始通知コマンド送信ステップにおいて送信された出力開始通知コマンドに付加された物理アドレスに従って入力を切り替える第１入力切替ステップと、前記音声出力装置が、前記出力開始通知コマンド送信ステップにおいて送信された出力開始通知コマンドを送信した装置の識別情報が機器情報保持部に保持された識別情報と一致するか否かを判定する判定ステップと、前記判定ステップにおいて識別情報が一致すると判定された場合、前記音声出力装置が、前記機器情報保持部に当該識別情報に対応づけて保持された物理アドレスに従って入力を切り替える第２入力切替ステップとを含み、前記機器情報保持部は、前記２個のＨＤＭＩ出力部のうち、ＣＥＣに対応していないＨＤＭＩ出力部であって前記音声出力装置に少なくとも音声データを出力するＨＤＭＩ出力部に割り当てられた物理アドレスを前記映像音声データ出力装置の識別情報に対応づけて保持している。
【００７３】
これにより、２個のＨＤＭＩ出力部を用いて映像データおよび音声データを出力する映像音声データ出力装置を備えるＡＶシステムにおいて、映像音声データ出力装置から映像データおよび音声データの出力が開始されたときに、表示装置および音声出力装置は、自動的に適切な入力に切り替えることが可能となる。すなわち、２個のＨＤＭＩ出力部を用いて映像データおよび音声データを出力する映像音声データ出力装置を備えるホームシアターシステムにおいて、ＣＥＣによるワンタッチプレイを適切に動作させることができる。
【００７４】
また、本発明の一態様である入力切替制御方法は、表示装置と音声出力装置と２個のＨＤＭＩ出力部を用いて映像データおよび音声データを出力する映像音声データ出力装置とが互いにＨＤＭＩを介して接続されたＡＶシステムにおいて用いられる入力切替制御方法であって、前記映像音声データ出力装置が、前記２個のＨＤＭＩ出力部のうち、ＣＥＣに対応しているＨＤＭＩ出力部であって前記音声出力装置に少なくとも音声データを出力するＨＤＭＩ出力部に割り当てられた物理アドレスが付加された、映像データおよび音声データの出力が開始されることを示す出力開始通知コマンドを、前記表示装置および前記音声出力装置に送信する出力開始通知コマンド送信ステップと、前記音声出力装置が、前記出力開始通知コマンド送信ステップにおいて送信された出力開始通知コマンドに付加された物理アドレスに従って入力を切り替える第１入力切替ステップと、前記表示装置が、前記出力開始通知コマンド送信ステップにおいて送信された出力開始通知コマンドを送信した装置の識別情報が機器情報保持部に保持された識別情報と一致するか否かを判定する判定ステップと、前記判定ステップにおいて識別情報が一致すると判定された場合、前記表示装置が、前記機器情報保持部に当該識別情報に対応づけて保持された物理アドレスに従って入力を切り替える第２入力切替ステップとを含み、前記機器情報保持部は、前記２個のＨＤＭＩ出力部のうち、ＣＥＣに対応していないＨＤＭＩ出力部であって前記表示装置に少なくとも映像データを出力するＨＤＭＩ出力部に割り当てられた物理アドレスを前記映像音声データ出力装置の識別情報に対応づけて保持している。
【００７５】
これにより、２個のＨＤＭＩ出力部を用いて映像データおよび音声データを出力する映像音声データ出力装置を備えるＡＶシステムにおいて、映像音声データ出力装置から映像データおよび音声データの出力が開始されたときに、表示装置および音声出力装置は、自動的に適切な入力に切り替えることが可能となる。すなわち、２個のＨＤＭＩ出力部を用いて映像データおよび音声データを出力する映像音声データ出力装置を備えるホームシアターシステムにおいて、ＣＥＣによるワンタッチプレイを適切に動作させることができる。
【発明の効果】
【００７６】
以上の説明から明らかなように、本発明に係る表示装置等は、２個のＨＤＭＩ出力部を用いて映像データおよび音声データを出力する映像音声データ出力装置を備えるホームシアターシステムにおいて、ＣＥＣによるワンタッチプレイを適切に動作させることができる。
【図面の簡単な説明】
【００７７】
【図１】一般的なホームシアターシステムの構成の一例を示す図である。
【図２】ＨＤＭＩ規格における物理アドレスの割り当て方法の説明図である。
【図３】従来のホームシアターシステムにおいて、ＢＤプレーヤで再生された映像および音声が出力されている時の映像データおよび音声データの流れを示す図である。
【図４】従来のホームシアターシステムにおいて、ＴＶで復調された映像および音声が出力されている時の映像データおよび音声データの流れを示す図である。
【図５】従来のホームシアターシステムにおいて、ＢＤプレーヤの再生が開始された時のＣＥＣコマンドのシーケンス図である。
【図６】従来のホームシアターシステムにおいて、ＴＶの内部チューナが選択された時のＣＥＣコマンドのシーケンス図である。
【図７】２個のＨＤＭＩ出力部を有するＢＤプレーヤを含む従来のホームシアターシステムの構成の一例を示す図である。
【図８】従来のホームシアターシステムにおいて、ＢＤプレーヤの再生が開始された時のＣＥＣコマンドのシーケンス図（第１ＨＤＭＩ出力部の物理アドレスを使用した場合）である。
【図９】従来のホームシアターシステムにおいて、ＢＤプレーヤの再生が開始された時のＣＥＣコマンドのシーケンス図（第２ＨＤＭＩ出力部の物理アドレスを使用した場合）である。
【図１０】本発明の実施の形態１に係るホームシアターシステムの一例を示す外観図である。
【図１１】本発明の実施の形態１に係るホームシアターシステムの構成の一例を示す図である。
【図１２】本発明の実施の形態１に係るＴＶの詳細な構成の一例を示す図である。
【図１３】本発明の実施の形態１に係るＡＶアンプの詳細な構成の一例を示す図である。
【図１４】本発明の実施の形態１に係るＢＤプレーヤの詳細な構成の一例を示す図である。
【図１５】本発明の実施の形態１に係るホームシアターシステムにおいて、ＢＤプレーヤの電源がオンになった時および再生が開始された時のＣＥＣコマンドのシーケンス図である。
【図１６】本発明の実施の形態１に係るホームシアターシステムにおいて、ＢＤプレーヤで再生された映像および音声が出力されている時の映像データおよび音声データの流れを示す図である。
【図１７】本発明の実施の形態２に係るホームシアターシステムの構成の一例を示す図である。
【図１８】本発明の実施の形態２に係るＡＶアンプの詳細な構成の一例を示す図である。
【図１９】本発明の実施の形態２に係るホームシアターシステムにおいて、ＢＤプレーヤの電源がオンされた時および再生が開始された時のＣＥＣコマンドのシーケンス図である。
【図２０】本発明の実施の形態３に係るホームシアターシステムの構成の一例を示す図である。
【図２１】本発明の実施の形態３に係るＴＶの詳細な構成の一例を示す図である。
【図２２】本発明の実施の形態３に係るＡＶアンプの詳細な構成の一例を示す図である。
【図２３】本発明の実施の形態３に係るホームシアターシステムにおいて、ＢＤプレーヤの電源がオンされた時および再生が開始された時のＣＥＣコマンドのシーケンス図である。
【図２４】本発明の実施の形態４に係るホームシアターシステムの構成の一例を示す図である。
【図２５】本発明の実施の形態４に係るＴＶの詳細な構成の一例を示す図である。
【図２６】本発明の実施の形態４に係るＢＤプレーヤの詳細な構成の一例を示す図である。
【図２７】本発明の実施の形態４に係るＢＤプレーヤの電源がオンされた時および再生が開始された時のＣＥＣコマンドのシーケンス図である。
【発明を実施するための形態】
【００７８】
以下、本発明の実施の形態について、図面を参照しながら詳細に説明する。
【００７９】
（実施の形態１）
本発明の実施の形態１に係るホームシアターシステムでは、ＴＶは、ＢＤプレーヤが出力開始通知コマンドを送信した際に、ＢＤプレーヤの「二出力」に関する機器情報に従って、ＡＶアンプに入力切替の指示を送信する。これにより、ＡＶアンプは、適切に入力切替を行うことが可能となる。
【００８０】
図１０は、実施の形態１に係るホームシアターシステムの一例を示す外観図である。また、図１１は、実施の形態１に係るホームシアターシステムの構成の一例を示す図である。
【００８１】
なお、図１１には、ＴＶ１１０、ＡＶアンプ１２０およびＢＤプレーヤ１４０が備える構成要素のうち、入出力に関する構成要素のみが示されている。また、ＴＶ１１０は、本発明の実施の形態１における表示装置の一例である。また、ＢＤプレーヤ１４０は、本発明の実施の形態１における映像音声データ出力装置の一例である。
【００８２】
図１１に示すように、ホームシアターシステム１００は、ＴＶ１１０と、ＡＶアンプ１２０と、ＢＤプレーヤ１４０とを備える。
【００８３】
ＴＶ１１０とＡＶアンプ１２０とＢＤプレーヤ１４０とは、ＨＤＭＩケーブル１７０を用いて、互いに直接接続されている。さらに、ＴＶ１１０とＡＶアンプ１２０とは、音声ケーブル１８０を用いて接続されている。また、ＡＶアンプ１２０とスピーカ１６０とは、スピーカケーブル１９０を用いて接続されている。
【００８４】
具体的には、ＢＤプレーヤ１４０の第１ＨＤＭＩ出力部１４１は、ＴＶ１１０の第１ＨＤＭＩ入力部１１１にＨＤＭＩケーブル１７０を介して接続される。また、ＢＤプレーヤ１４０の第２ＨＤＭＩ出力部１４２は、ＡＶアンプ１２０の第１ＨＤＭＩ入力部１２２にＨＤＭＩケーブル１７０を介して接続される。
【００８５】
ＨＤＭＩ規格では、ＢＤプレーヤ１４０の第１ＨＤＭＩ出力部１４１および第２ＨＤＭＩ出力部１４２は、仮想的に別々のＨＤＭＩ機器と認識される。そのため、図１１に示すように、第１ＨＤＭＩ出力部１４１および第２ＨＤＭＩ出力部１４２には、それぞれ異なる物理アドレスが割り当てられる。なお、従来と同様に、ＴＶ１１０およびＡＶアンプ１２０にも物理アドレスが割り当てられる。
【００８６】
また、本実施の形態において、ＢＤプレーヤ１４０の第１ＨＤＭＩ出力部１４１は、ＣＥＣに対応し、ＣＥＣメッセージの送受信が可能である。一方、ＢＤプレーヤ１４０の第２ＨＤＭＩ出力部１４２は、ＣＥＣに対応せず、ＣＥＣメッセージの送受信ができない。
【００８７】
次に、図１０および図１１に示したＴＶ１１０、ＡＶアンプ１２０およびＢＤプレーヤ１４０の詳細について、図１２〜図１４を用いて説明する。なお、各図において、映像データまたは音声データの流れは実線矢印で表され、ＣＥＣコマンドなどの制御情報の流れは点線矢印で表される。
【００８８】
図１２は、実施の形態１に係るＴＶの詳細な構成の一例を示す図である。図１２に示すように、ＴＶ１１０は、第１ＨＤＭＩ入力部１１１と、第２ＨＤＭＩ入力部１１２と、音声出力部１１３と、ＣＥＣ通信部１１４と、機器情報保持部１１５と、判定部１１６と、入力切替部１１７と、表示部１１８とを備える。
【００８９】
第１ＨＤＭＩ入力部１１１および第２ＨＤＭＩ入力部１１２は、ＨＤＭＩ入力端子を有し、ＨＤＭＩケーブル１７０を介して伝送された映像データおよび音声データの少なくとも一方をＴＶ１１０に入力する。また、第１ＨＤＭＩ入力部１１１および第２ＨＤＭＩ入力部１１２は、ＣＥＣコマンドを入出力する。
【００９０】
なお、第１ＨＤＭＩ入力部１１１を通じて入出力されるＣＥＣコマンドを伝送するＣＥＣ信号線と、第２ＨＤＭＩ入力部１１２を通じて入出力されるＣＥＣコマンドを伝送するＣＥＣ信号線とは、ＴＶ１１０内部で接続されている。
【００９１】
音声出力部１１３は、光デジタル音声出力端子あるいは同軸デジタル音声出力端子などの音声出力端子を有し、光デジタル音声データなどの音声データを出力する。
【００９２】
ＣＥＣ通信部１１４は、第１ＨＤＭＩ入力部１１１または第２ＨＤＭＩ入力部１１２を介して、ＨＤＭＩ接続された他の機器へＣＥＣコマンドを送信または受信する。このＣＥＣコマンドの送受信は、各機器を識別するための論理アドレスを利用して行われる。この論理アドレスは、ＨＤＭＩ接続された各機器を識別するための識別情報の一例である。
【００９３】
特に、ＣＥＣ通信部１１４は、判定部１１６から論理アドレスが一致するという判定結果が通知された場合、機器情報保持部１１５に当該論理アドレスに対応づけて保持された物理アドレスが付加された入力切替指示コマンドをＡＶアンプ１２０へ送信する。ここで、入力切替指示コマンドは、例えば、＜Ｓｅｔ  Ｓｔｒｅａｍ  Ｐａｔｈ＞コマンドである。
【００９４】
機器情報保持部１１５は、ＢＤプレーヤ１４０の論理アドレスと、ＢＤプレーヤ１４０の第２ＨＤＭＩ出力部１４２に割り当てられた物理アドレスとを対応づけて保持している。具体的には、機器情報保持部１１５は、機器情報通知コマンドをＣＥＣ通信部１１４がＢＤプレーヤ１４０から受信した場合に、論理アドレスと物理アドレスとを対応づけて保持する。この機器情報通知コマンドには、ＢＤプレーヤ１４０が少なくとも２個のＨＤＭＩ出力部を用いて映像データおよび音声データを出力することを示すパラメータと、第２ＨＤＭＩ出力部１４２に割り当てられた物理アドレスとが付加されている。
【００９５】
判定部１１６は、ＣＥＣ通信部１１４が出力開始通知コマンドを受信した場合に、当該出力開始通知コマンドを送信した装置の論理アドレスが機器情報保持部１１５に保持された論理アドレスと一致するか否かを判定する。
【００９６】
入力切替部１１７は、ＣＥＣ通信部１１４によって受信されたＣＥＣコマンド、またはリモコン等の入力切替受付手段を介してユーザから受け付けたユーザ指示などに従って、表示部１１８に表示するための映像データの入力を切り替える。具体的には、入力切替部１１７は、例えば、機械的あるいは電気的に信号線の接続を切り替えることにより、第１ＨＤＭＩ入力部１１１および第２ＨＤＭＩ入力部１１２のそれぞれから入力される映像データのいずれかを表示部１１８に出力する。
【００９７】
さらに具体的には、入力切替部１１７は、ＣＥＣ通信部１１４が出力開始通知コマンドを受信した場合に、当該出力開始通知コマンドに付加された物理アドレスに従って入力を切り替える。
【００９８】
なお、入力を切り替えるとは、切替前の入力と切替後の入力とが同一であるため、実際には入力を切り替えない場合も含む。
【００９９】
表示部１１８は、入力切替部１１７から出力された映像データに基づいて映像を表示する。具体的には、表示部１１８は、例えば、符号化された映像データを復号化し、復号化後の映像データに従って発光素子等を制御することにより映像を表示する。
【０１００】
図１３は、実施の形態１に係るＡＶアンプの詳細な構成の一例を示す図である。ここで示すＡＶアンプ１２０は、従来のＡＶアンプ２０と同様の機能を有する。具体的には、図１３に示すように、ＡＶアンプ１２０は、ＨＤＭＩ出力部１２１と、第１ＨＤＭＩ入力部１２２と、第２ＨＤＭＩ入力部１２３と、音声入力部１２４と、スピーカ出力部１２５と、ＣＥＣ通信部１２６と、入力切替部１２７とを備える。
【０１０１】
ＨＤＭＩ出力部１２１は、ＨＤＭＩ出力端子を有し、映像データおよび音声データの少なくとも一方を出力する。また、ＨＤＭＩ出力部１２１は、ＣＥＣコマンドを入出力する。
【０１０２】
第１ＨＤＭＩ入力部１２２および第２ＨＤＭＩ入力部１２３は、ＨＤＭＩ入力端子を有し、ＨＤＭＩケーブル１７０を介して伝送された映像データおよび音声データの少なくとも一方をＡＶアンプ１２０に入力する。また、第１ＨＤＭＩ入力部１２２および第２ＨＤＭＩ入力部１２３は、ＣＥＣコマンドを入出力する。
【０１０３】
なお、第１ＨＤＭＩ入力部１２２を通じて入出力されるＣＥＣコマンドを伝送するＣＥＣ信号線と、第２ＨＤＭＩ入力部１２３を通じて入出力されるＣＥＣコマンドを伝送するＣＥＣ信号線と、ＨＤＭＩ出力部１２１を通じて入出力されるＣＥＣコマンドを伝送するＣＥＣ信号線とは、ＡＶアンプ１２０内部で接続されている。
【０１０４】
音声入力部１２４は、光デジタル音声入力端子あるいは同軸デジタル音声入力端子などの音声入力端子を有し、音声ケーブル１８０を介して伝送された音声データをＡＶアンプ１２０に入力する。
【０１０５】
スピーカ出力部１２５は、音声データをアナログ変換する。そして、スピーカ出力部１２５は、アナログ変換後の音声をスピーカケーブル１９０を介してスピーカ１６０に出力する。
【０１０６】
ＣＥＣ通信部１２６は、ＨＤＭＩ出力部１２１、第１ＨＤＭＩ入力部１２２または第２ＨＤＭＩ入力部１２３を介して、ＨＤＭＩ接続された他の機器へＣＥＣコマンドを送信または受信する。
【０１０７】
入力切替部１２７は、ＣＥＣ通信部１２６によって受信されたＣＥＣコマンド、またはリモコン等の入力切替受付手段を介してユーザから受け付けたユーザ指示などに従って、スピーカ出力部１２５に出力するための音声データの入力を切り替える。具体的には、入力切替部１２７は、例えば、機械的あるいは電気的に信号線の接続を切り替えることにより、第１ＨＤＭＩ入力部１２２、第２ＨＤＭＩ入力部１２３および音声入力部１２４のそれぞれから入力される音声データのいずれかをスピーカ出力部１２５に出力する。
【０１０８】
また、入力切替部１２７は、ＴＶ１１０が備える入力切替部１１７と同様に、出力開始通知コマンドを受信した場合に、当該出力開始通知コマンドに付加された物理アドレスに従って入力を切り替える。さらに、入力切替部１２７は、入力切替指示コマンドを受信した場合に、当該入力切替指示コマンドに付加された物理アドレスに従って入力を切り替える。
【０１０９】
図１４は、実施の形態１に係るＢＤプレーヤの詳細な構成の一例を示す図である。図１４に示すように、ＢＤプレーヤ１４０は、第１ＨＤＭＩ出力部１４１と、第２ＨＤＭＩ出力部１４２と、ＣＥＣ通信部１４３と、再生部１４４とを備える。
【０１１０】
第１ＨＤＭＩ出力部１４１および第２ＨＤＭＩ出力部１４２は、ＨＤＭＩ出力端子を有し、再生部１４４によって再生された映像データおよび音声データの少なくとも一方を出力する。また、第１ＨＤＭＩ出力部１４１は、ＣＥＣコマンドを入出力する。
【０１１１】
ＣＥＣ通信部１４３は、第１ＨＤＭＩ出力部１４１を介して、ＨＤＭＩ接続された他の機器へＣＥＣコマンドを送信または受信する。具体的には、ＣＥＣ通信部１４３は、例えば、再生部１４４によってコンテンツの再生が開始される際に、ＣＥＣに対応する第１ＨＤＭＩ出力部１４１の物理アドレスが付加された出力開始通知コマンドをＨＤＭＩ接続された全機器へ送信する。
【０１１２】
ここで、出力開始通知コマンドは、映像データおよび音声データの出力が開始されることを示すＣＥＣコマンドである。具体的には、出力開始通知コマンドは、例えば、＜Ａｃｔｉｖｅ  Ｓｏｕｒｃｅ＞コマンドである。
【０１１３】
さらに、ＣＥＣ通信部１４３は、機器情報を通知する機器情報通知コマンドを、第１ＨＤＭＩ出力部１４１を介してＴＶ１１０へ送信する。
【０１１４】
ここで、機器情報通知コマンドには、２個のＨＤＭＩ出力部を用いて映像データおよび音声データを出力することを示す情報と、ＣＥＣに対応しない第２ＨＤＭＩ出力部１４２に割り当てられた物理アドレスとが付加される。また、機器情報通知コマンドは、例えば＜Ｎｏｔｉｆｙ  Ｃａｐａｂｉｌｉｔｙ＞コマンドである。
【０１１５】
なお、ＣＥＣ通信部１４３は、第２ＨＤＭＩ出力部１４２を介して、ＣＥＣコマンドを送受信しない。
【０１１６】
再生部１４４は、ＢＤ等の記録媒体に記録されたコンテンツを再生し、映像データおよび音声データを生成する。具体的には、再生部１４４は、例えば、符号化されたコンテンツを復号化することにより、映像データおよび音声データを生成する。
【０１１７】
次に、以上のように構成されたホームシアターシステム１００において用いられる入力切替制御方法について、図１５および図１６を用いて説明する。具体的には、ホームシアターシステム１００によるワンタッチプレイ動作について説明する。
【０１１８】
なお、ＡＶアンプ１２０の動作は、従来のＡＶアンプ２０の動作と同様である。また、ＴＶ１１０の動作は、ワンタッチプレイに関する動作を除いて、従来のＴＶ１０の動作と同様である。また、ＢＤプレーヤ１４０の動作も、ワンタッチプレイに関する動作を除いて、従来のＢＤプレーヤ４０の動作と同様である。
【０１１９】
図１５は、実施の形態１に係るホームシアターシステムにおいて、ＢＤプレーヤの電源がオンされた時および再生が開始された時のＣＥＣコマンドのシーケンス図である。図１６は、実施の形態１に係るホームシアターシステムにおいて、ＢＤプレーヤで再生された映像および音声が出力されている時の映像データおよび音声データの流れを示す図である。
【０１２０】
（ＢＤプレーヤ１４０電源オン時の動作）
まず、ＢＤプレーヤ１４０のＣＥＣ通信部１４３は、電源がオンになったときに、第１ＨＤＭＩ出力部１４１からＴＶ１１０宛に、＜Ｎｏｔｉｆｙ  Ｃａｐａｂｉｌｉｔｙ＞コマンドを送信する（Ｓ１０１）。このとき、＜Ｎｏｔｉｆｙ  Ｃａｐａｂｉｌｉｔｙ＞コマンドには、ＢＤプレーヤ１４０が２個のＨＤＭＩ出力部を用いて映像データおよび音声データを出力することを示す［“二出力あり”］というパラメータと、第２ＨＤＭＩ出力部１４２の物理アドレス［２．１．０．０］とが付加される。なお、＜Ｎｏｔｉｆｙ  Ｃａｐａｂｉｌｉｔｙ＞コマンドは、ＨＤＭＩ規格で規定された標準コマンドではなく、ベンダー独自定義のコマンドである。
【０１２１】
続いて、ＴＶ１１０のＣＥＣ通信部１１４は、ＢＤプレーヤ１４０から送信された＜Ｎｏｔｉｆｙ  Ｃａｐａｂｉｌｉｔｙ＞コマンドを受信し、機器情報保持部１１５に通知する。そして、機器情報保持部１１５は、受信した＜Ｎｏｔｉｆｙ  Ｃａｐａｂｉｌｉｔｙ＞コマンドに付加された、パラメータ［“二出力あり”］と物理アドレス［２．１．０．０］とを、＜Ｎｏｔｉｆｙ  Ｃａｐａｂｉｌｉｔｙ＞コマンドの送信元機器（ＢＤプレーヤ１４０）の論理アドレスに対応づけて保持する（Ｓ１０２）。
【０１２２】
（ＢＤプレーヤ１４０再生開始時のワンタッチプレイ動作）
ＢＤプレーヤ１４０の再生が開始されたとき、ＢＤプレーヤ１４０のＣＥＣ通信部１４３は、＜Ａｃｔｉｖｅ  Ｓｏｕｒｃｅ＞コマンドをＨＤＭＩ接続された全機器に向けて送信する（Ｓ１０３）。＜Ａｃｔｉｖｅ  Ｓｏｕｒｃｅ＞コマンドには、ＢＤプレーヤ１４０の第１ＨＤＭＩ出力部１４１の物理アドレス［１．０．０．０］が付加される。
【０１２３】
ＡＶアンプ１２０の入力切替部１２７は、受信した＜Ａｃｔｉｖｅ  Ｓｏｕｒｃｅ＞コマンドに付加された物理アドレス［１．０．０．０］に従って、音声入力部１２４からの入力に入力を切り替える（Ｓ１０４）。
【０１２４】
また、ＴＶ１１０の入力切替部１１７は、受信した＜Ａｃｔｉｖｅ  Ｓｏｕｒｃｅ＞コマンドに付加されている物理アドレス［１．０．０．０］の左から１個目の数値に従って、入力を第１ＨＤＭＩ入力部１１１からの入力に切り替える（Ｓ１０５）。
【０１２５】
同時に、ＴＶ１１０の判定部１１６は、＜Ａｃｔｉｖｅ  Ｓｏｕｒｃｅ＞コマンドの送信元機器であるＢＤプレーヤ１４０の論理アドレスが、機器情報保持部１１５にパラメータ［“二出力あり”］と対応づけて保持されているか否かを判定し、判定結果をＣＥＣ通信部１１４に通知する（Ｓ１０６）。ここで、ＢＤプレーヤ１４０の論理アドレスがパラメータ［“二出力あり”］と対応づけて保持されているので、ＣＥＣ通信部１１４は、ＢＤプレーヤ１４０の論理アドレスに対応する、第２ＨＤＭＩ出力部１４２の物理アドレス［２．１．０．０］が付加された＜Ｓｅｔ  Ｓｔｒｅａｍ  Ｐａｔｈ＞コマンドを全機器宛に送信する（Ｓ１０７）。
【０１２６】
続いて、ＡＶアンプ１２０のＣＥＣ通信部１２６は、＜Ｓｅｔ  Ｓｔｒｅａｍ  Ｐａｔｈ＞コマンドを受信し、受信した＜Ｓｅｔ  Ｓｔｒｅａｍ  Ｐａｔｈ＞コマンドを入力切替部１２７に通知する。そして、入力切替部１２７は、受信された＜Ｓｅｔ  Ｓｔｒｅａｍ  Ｐａｔｈ＞コマンドに付加された物理アドレス［２．１．０．０］の左から２個目の数値に従って、第１ＨＤＭＩ入力部１２２からの入力に入力を切り替える（Ｓ１０８）。
【０１２７】
このとき、＜Ｓｅｔ  Ｓｔｒｅａｍ  Ｐａｔｈ＞コマンドは、ＢＤプレーヤ１４０の第２ＨＤＭＩ出力部１４２にも送信される。しかし、第２ＨＤＭＩ出力部１４２はＣＥＣに対応していないので、＜Ｓｅｔ  Ｓｔｒｅａｍ  Ｐａｔｈ＞コマンドに従った処理は実行されない。つまり、第２ＨＤＭＩ出力部１４２の物理アドレスが付加された＜Ａｃｔｉｖｅ  Ｓｏｕｒｃｅ＞コマンドは送信されない。
【０１２８】
このような動作の結果、映像データおよび音声データは、図１６に示すように流れる。すなわち、ＢＤプレーヤ１４０の第１ＨＤＭＩ出力部１４１からＴＶ１１０の第１ＨＤＭＩ入力部１１１に高品位映像データ（例えば３Ｄ映像データ）が伝送される。また、ＢＤプレーヤ１４０の第２ＨＤＭＩ出力部１４２からＡＶアンプ１２０の第１ＨＤＭＩ入力部１２２に高品位音声データ（例えば７．１チャンネルサラウンド音声データ）が伝送される。
【０１２９】
なお、ＢＤプレーヤ１４０は、第１ＨＤＭＩ出力部１４１から高品位映像データと共に音声データ（例えば２チャンネル音声データ）を出力してもよい。また、ＢＤプレーヤ１４０は、第２ＨＤＭＩ出力部１４２から高品位音声データと共に映像データ（例えば２Ｄの通常映像データあるいは黒画面データ）を出力してもよい。
【０１３０】
以上の動作により、ユーザが手動で各機器の入力切替を実施しなくても、ホームシアターシステム１００は、ＢＤプレーヤ１４０が再生する高品位映像および高品位音声をユーザがＴＶ１１０およびＡＶアンプ１２０を用いて視聴するために必要な入力切替を自動的に実施することができる。このとき、ＡＶアンプに新規機能は不要であり、ホームシアターシステム１００は、従来のＡＶアンプをそのまま使用しても適切に入力切替を実施することができる。
【０１３１】
（実施の形態２）
次に、本発明の実施の形態２について、図面を用いて詳細に説明する。
【０１３２】
本発明の実施の形態２に係るホームシアターシステムでは、ＡＶアンプは、ＢＤプレーヤが出力開始通知コマンドを送信した際に、ＢＤプレーヤの「二出力」に関する機器情報に従って入力切替を行わない。これにより、ＡＶアンプは、不必要な入力切替を抑制することが可能となる。
【０１３３】
図１７は、実施の形態２に係るホームシアターシステムの構成の一例を示す図である。また、図１８は、実施の形態２に係るＡＶアンプの詳細な構成の一例を示す図である。
【０１３４】
なお、本実施の形態に係るホームシアターシステム２００の外観図、ならびに、ＴＶおよびＢＤプレーヤの詳細な構成を示す図は、図１０、図１２または図１４と同様であるので図示を省略する。また、図１７および図１８において、図１１または図１３と同じ構成要素については同じ符号を用い、説明を省略する。
【０１３５】
ＴＶ１１０は、本発明の実施の形態２における表示装置の一例である。また、ＢＤプレーヤ１４０は、本発明の実施の形態２における映像音声データ出力装置の一例である。また、ＡＶアンプ２２０は、本発明の実施の形態２における音声出力装置の一例である。
【０１３６】
図１７に示すように、ホームシアターシステム２００は、ＴＶ１１０と、ＡＶアンプ２２０と、ＢＤプレーヤ１４０とを備える。また、図１８に示すように、ＡＶアンプ２２０は、ＨＤＭＩ出力部１２１と、第１ＨＤＭＩ入力部１２２と、第２ＨＤＭＩ入力部１２３と、音声入力部１２４と、スピーカ出力部１２５と、ＣＥＣ通信部１２６と、機器情報保持部２２１と、判定部２２２と、入力切替部２２３とを備える。
【０１３７】
機器情報保持部２２１は、ＢＤプレーヤ１４０の論理アドレスと、ＢＤプレーヤ１４０の第２ＨＤＭＩ出力部１４２に割り当てられた物理アドレスとを対応づけて保持している。具体的には、機器情報保持部２２１は、機器情報通知コマンドをＣＥＣ通信部１２６がＢＤプレーヤ１４０から受信した場合に、論理アドレスと物理アドレスとを対応づけて保持する。この機器情報通知コマンドには、ＢＤプレーヤ１４０が少なくとも２個のＨＤＭＩ出力部を備えていることを示すパラメータと、第２ＨＤＭＩ出力部１４２に割り当てられた物理アドレスとが付加されている。
【０１３８】
判定部２２２は、ＣＥＣ通信部１２６が出力開始通知コマンドを受信した場合に、当該出力開始通知コマンドを送信した装置の論理アドレスが機器情報保持部２２１に保持された論理アドレスと一致するか否かを判定する。
【０１３９】
入力切替部２２３は、実施の形態１における入力切替部１２７と同様に、ＣＥＣコマンドまたはユーザ指示などに従って、スピーカ出力部１２５に出力する音声データの入力を切り替える。ただし、入力切替部２２３は、出力開始通知コマンドを受信した場合、判定部２２２によって論理アドレスが一致しないと判定されたときにのみ、当該出力通知コマンドに付加された物理アドレスに従って入力を切り替える。つまり、入力切替部２２３は、出力開始通知コマンドを受信した場合、判定部２２２によって論理アドレスが一致すると判定されたときには、当該出力通知コマンドに付加された物理アドレスに従って入力を切り替えない。
【０１４０】
次に、以上のように構成されたホームシアターシステム２００において用いられる入力切替制御方法について、図１９を用いて説明する。具体的には、ホームシアターシステム２００によるワンタッチプレイ動作について説明する。
【０１４１】
図１９は、実施の形態２に係るホームシアターシステムにおいて、ＢＤプレーヤの電源がオンされた時および再生が開始された時のＣＥＣコマンドのシーケンス図である。
【０１４２】
（ＢＤプレーヤ１４０電源オン時の動作）
まず、ＢＤプレーヤ１４０のＣＥＣ通信部１４３は、電源がオンになったときに、第１ＨＤＭＩ出力部１４１からＴＶ１１０およびＡＶアンプ２２０宛に、＜Ｎｏｔｉｆｙ  Ｃａｐａｂｉｌｉｔｙ＞コマンドを送信する（Ｓ１０１、Ｓ２０１）。このとき、＜Ｎｏｔｉｆｙ  Ｃａｐａｂｉｌｉｔｙ＞コマンドには、ＢＤプレーヤ１４０が２個のＨＤＭＩ出力部を用いて映像データおよび音声データを出力することを示す［“二出力あり”］というパラメータと、第２ＨＤＭＩ出力部１４２の物理アドレス［２．１．０．０］とが付加される。なお、＜Ｎｏｔｉｆｙ  Ｃａｐａｂｉｌｉｔｙ＞コマンドは、ＨＤＭＩ規格で規定された標準コマンドではなく、ベンダー独自定義のコマンドである。
【０１４３】
続いて、ＴＶ１１０のＣＥＣ通信部１１４およびＡＶアンプ２２０のＣＥＣ通信部１２６は、＜Ｎｏｔｉｆｙ  Ｃａｐａｂｉｌｉｔｙ＞コマンドを受信し、それぞれ、機器情報保持部１１５または機器情報保持部２２１に通知する。そして、機器情報保持部１１５および機器情報保持部２２１は、受信した＜Ｎｏｔｉｆｙ  Ｃａｐａｂｉｌｉｔｙ＞コマンドに付加された、パラメータ［“二出力あり”］と物理アドレス［２．１．０．０］とを、＜Ｎｏｔｉｆｙ  Ｃａｐａｂｉｌｉｔｙ＞コマンドの送信元機器（ＢＤプレーヤ１４０）の論理アドレスに対応づけて保持する（Ｓ１０２、Ｓ２０２）。
【０１４４】
（ＢＤプレーヤ１４０再生開始時のワンタッチプレイ動作）
ＢＤプレーヤ１４０の再生が開始されたとき、ＢＤプレーヤ１４０のＣＥＣ通信部１４３は、ＨＤＭＩ接続された全機器に向けて＜Ａｃｔｉｖｅ  Ｓｏｕｒｃｅ＞コマンドを送信する（Ｓ１０３）。＜Ａｃｔｉｖｅ  Ｓｏｕｒｃｅ＞コマンドには、ＢＤプレーヤ１４０の第１ＨＤＭＩ出力部１４１の物理アドレス［１．０．０．０］が付加される。
【０１４５】
ＡＶアンプ２２０の判定部２２２は、＜Ａｃｔｉｖｅ  Ｓｏｕｒｃｅ＞コマンドの送信元機器であるＢＤプレーヤ１４０の論理アドレスが、機器情報保持部１１５にパラメータ［“二出力あり”］と対応づけて保持されているか否かを判定し、判定結果を入力切替部２２３に通知する（Ｓ２０３）。ここで、入力切替部２２３は、ＢＤプレーヤ１４０の論理アドレスが、機器情報保持部１１５にパラメータ［“二出力あり”］と対応づけて保持されているという判定結果に従って、入力切替を実施しない。
【０１４６】
ステップＳ１０５〜Ｓ１０８の動作は、図１５と同様であるので説明を省略する。
このような動作の結果、映像データおよび音声データは、実施の形態１（図１６）と同様に流れる。すなわち、ＢＤプレーヤ１４０の第１ＨＤＭＩ出力部１４１からＴＶ１１０に高品位映像データ（例えば３Ｄ映像データ）が伝送される。また、ＢＤプレーヤ１４０の第２ＨＤＭＩ出力部１４２からＡＶアンプ２２０に高品位音声データ（例えば７．１チャンネルサラウンド音声データ）が伝送される。
【０１４７】
なお、ＢＤプレーヤ１４０は、第１ＨＤＭＩ出力部１４１から高品位映像データと共に音声データ（例えば２チャンネル音声データ）を出力してもよい。また、ＢＤプレーヤ１４０は、第２ＨＤＭＩ出力部１４２から高品位音声データと共に映像データ（例えば２Ｄの通常映像データあるいは黒画面データ）を出力してもよい。
【０１４８】
以上の動作により、ユーザが手動で各機器の入力切替を実施しなくても、ホームシアターシステム２００は、ＢＤプレーヤ１４０が再生する高品位映像および高品位音声をユーザがＴＶ１１０およびＡＶアンプ２２０を用いて視聴するために必要な入力切替を自動的に実施することができる。
【０１４９】
さらに、ＢＤプレーヤ１４０から＜Ａｃｔｉｖｅ  Ｓｏｕｒｃｅ＞コマンドを受信したときに、ＡＶアンプ２２０は、一瞬音声入力（ＴＶ１１０からの音声）などに入力を切り替えることがない。つまり、ＡＶアンプ２２０は、不必要な入力切替を抑制することができる。
【０１５０】
（実施の形態３）
次に、本発明の実施の形態３について、図面を用いて詳細に説明する。
【０１５１】
本発明の実施の形態３に係るホームシアターシステムでは、ＡＶアンプは、ＢＤプレーヤが出力開始通知コマンドを送信した際に、ＢＤプレーヤの「二出力」に関する機器情報に従って入力切替を行う。これにより、ＡＶアンプは、適切に入力切替を行うことが可能となる。
【０１５２】
図２０は、実施の形態３に係るホームシアターシステムの構成の一例を示す図である。また、図２１は、実施の形態３に係るＴＶの詳細な構成の一例を示す図である。また、図２２は、実施の形態３に係るＡＶアンプの詳細な構成の一例を示す図である。
【０１５３】
なお、本実施の形態に係るホームシアターシステム３００の外観図、ならびに、ＢＤプレーヤの詳細な構成を示す図は、図１０または図１４と同様であるので図示を省略する。また、図２０〜図２２において、図１１〜図１３または図１８と同じ構成要素については同じ符号を用い、説明を省略する。
【０１５４】
ＢＤプレーヤ１４０は、本発明の実施の形態３における映像音声データ出力装置の一例である。また、ＡＶアンプ３２０は、本発明の実施の形態３における音声出力装置の一例である。また、ＴＶ３１０は、本発明の実施の形態３における表示装置の一例である。
【０１５５】
図２０に示すように、ホームシアターシステム３００は、ＴＶ３１０と、ＡＶアンプ３２０と、ＢＤプレーヤ１４０とを備える。
【０１５６】
ＴＶ３１０は、従来のＴＶ１０と同様である。具体的には図２１に示すように、ＴＶ３１０は、第１ＨＤＭＩ入力部１１１と、第２ＨＤＭＩ入力部１１２と、音声出力部１１３と、入力切替部１１７と、表示部１１８と、ＣＥＣ通信部３１１とを備える。
【０１５７】
ＣＥＣ通信部３１１は、実施の形態１におけるＣＥＣ通信部１１４と同様の処理を行う。ただし、ＣＥＣ通信部３１１は、ＣＥＣ通信部１１４と異なり、判定部による判定結果に従って入力切替指示コマンドを送信しない。
【０１５８】
ＡＶアンプ３２０は、図２２に示すように、ＨＤＭＩ出力部１２１と、第１ＨＤＭＩ入力部１２２と、第２ＨＤＭＩ入力部１２３と、音声入力部１２４と、スピーカ出力部１２５と、ＣＥＣ通信部１２６と、機器情報保持部２２１と、判定部２２２と、入力切替部３２１とを備える。
【０１５９】
入力切替部３２１は、実施の形態１における入力切替部１２７と同様に、ＣＥＣコマンドまたはユーザ指示などに従って、スピーカ出力部１２５に出力する音声データの入力を切り替える。ただし、入力切替部３２１は、出力開始通知コマンドを受信した場合、判定部２２２によって論理アドレスが一致すると判定されたときに、機器情報保持部２２１に当該論理アドレスと対応づけて保持された物理アドレスに従って入力を切り替える。
【０１６０】
次に、以上のように構成されたホームシアターシステム３００において用いられる入力切替制御方法について、図２３を用いて説明する。具体的には、ホームシアターシステム３００によるワンタッチプレイ動作について説明する。
【０１６１】
図２３は、実施の形態３に係るホームシアターシステムにおいて、ＢＤプレーヤの電源がオンされた時および再生が開始された時のＣＥＣコマンドのシーケンス図である。
【０１６２】
（ＢＤプレーヤ１４０電源オン時の動作）
まず、ＢＤプレーヤ１４０のＣＥＣ通信部１４３は、電源がオンになったときに、第１ＨＤＭＩ出力部１４１からＡＶアンプ３２０宛に、＜Ｎｏｔｉｆｙ  Ｃａｐａｂｉｌｉｔｙ＞コマンドを送信する（Ｓ２０１）。このとき、＜Ｎｏｔｉｆｙ  Ｃａｐａｂｉｌｉｔｙ＞コマンドには、ＢＤプレーヤ１４０が２個のＨＤＭＩ出力部を用いて映像データおよび音声データを出力することを示す［“二出力あり”］というパラメータと、第２ＨＤＭＩ出力部１４２の物理アドレス［２．１．０．０］とが付加される。なお、＜Ｎｏｔｉｆｙ  Ｃａｐａｂｉｌｉｔｙ＞コマンドは、ＨＤＭＩ規格で規定された標準コマンドではなく、ベンダー独自定義のコマンドである。
【０１６３】
続いて、ＡＶアンプ３２０のＣＥＣ通信部１２６は、＜Ｎｏｔｉｆｙ  Ｃａｐａｂｉｌｉｔｙ＞コマンドを受信し、機器情報保持部２２１に通知する。そして、機器情報保持部２２１は、受信した＜Ｎｏｔｉｆｙ  Ｃａｐａｂｉｌｉｔｙ＞コマンドに付加された、パラメータ［“二出力あり”］と物理アドレス［２．１．０．０］とを、＜Ｎｏｔｉｆｙ  Ｃａｐａｂｉｌｉｔｙ＞コマンドの送信元機器（ＢＤプレーヤ１４０）の論理アドレスに対応づけて保持する（Ｓ２０２）。
【０１６４】
（ＢＤプレーヤ１４０再生開始時のワンタッチプレイ動作）
ＢＤプレーヤ１４０の再生が開始されたとき、ＢＤプレーヤ１４０のＣＥＣ通信部１４３は、ＨＤＭＩ接続された全機器に向けて＜Ａｃｔｉｖｅ  Ｓｏｕｒｃｅ＞コマンドを送信する（Ｓ１０３）。＜Ａｃｔｉｖｅ  Ｓｏｕｒｃｅ＞コマンドには、ＢＤプレーヤ１４０の第１ＨＤＭＩ出力部１４１の物理アドレス［１．０．０．０］が付加される。
【０１６５】
ＡＶアンプ３２０の判定部２２２は、＜Ａｃｔｉｖｅ  Ｓｏｕｒｃｅ＞コマンドの送信元機器であるＢＤプレーヤ１４０の論理アドレスが、機器情報保持部１１５にパラメータ［“二出力あり”］と対応づけて保持されているか否かを判定し、判定結果を入力切替部２２３に通知する（Ｓ２０３）。ここで、ＢＤプレーヤ１４０の論理アドレスがパラメータ［“二出力あり”］と対応づけて保持されているので、入力切替部２２３は、ＢＤプレーヤ１４０の論理アドレスに対応する、第２ＨＤＭＩ出力部１４２の物理アドレス［２．１．０．０］に従って、入力を第１ＨＤＭＩ入力部１２２からの入力に切り替える（Ｓ３０１）。
【０１６６】
また、ＴＶ３１０の入力切替部１１７は、受信した＜Ａｃｔｉｖｅ  Ｓｏｕｒｃｅ＞コマンドに付加されている物理アドレス［１．０．０．０］の左から１個目の数値に従って、入力を第１ＨＤＭＩ入力部１１１からの入力に切り替える（Ｓ１０５）。
【０１６７】
このような動作の結果、映像データおよび音声データは、実施の形態１（図１６）と同様に流れる。すなわち、ＢＤプレーヤ１４０の第１ＨＤＭＩ出力部１４１からＴＶ３１０に高品位映像データ（例えば３Ｄ映像データ）が伝送される。また、ＢＤプレーヤ１４０の第２ＨＤＭＩ出力部１４２からＡＶアンプ３２０に高品位音声データ（例えば７．１チャンネルサラウンド音声データ）が伝送される。
【０１６８】
なお、ＢＤプレーヤ１４０は、第１ＨＤＭＩ出力部１４１から高品位映像データと共に音声データ（例えば２チャンネル音声データ）を出力してもよい。また、ＢＤプレーヤ１４０は、第２ＨＤＭＩ出力部１４２から高品位音声データと共に映像データ（例えば２Ｄの通常映像データあるいは黒画面データ）を出力してもよい。
【０１６９】
以上の動作により、ユーザが手動で各機器の入力切替を実施しなくても、ホームシアターシステム３００は、ＢＤプレーヤ１４０が再生する高品位映像および高品位音声をユーザがＴＶ３１０およびＡＶアンプ３２０を用いて視聴するために必要な入力切替を自動的に実施することができる。
【０１７０】
さらに、ＢＤプレーヤ１４０から＜Ａｃｔｉｖｅ  Ｓｏｕｒｃｅ＞コマンドを受信したときに、ＡＶアンプ３２０は、一瞬音声入力（ＴＶ３１０からの音声）などに入力を切り替えることがない。つまり、ＡＶアンプ３２０は、不必要な入力切替を抑制することができる。
【０１７１】
またさらに、ＴＶ３１０は、ＢＤプレーヤ１４０から＜Ａｃｔｉｖｅ  Ｓｏｕｒｃｅ＞コマンドを受信したときに、ＢＤプレーヤ１４０の第２ＨＤＭＩ出力部１４２の物理アドレスを付加した＜Ｓｅｔ  Ｓｔｒｅａｍ  Ｐａｔｈ＞コマンドをＡＶアンプ３２０に送信する必要がない。したがって、ホームシアターシステム３００は、従来のＴＶをそのまま使用しても適切に入力切替を実施することができる。
【０１７２】
（実施の形態４）
次に、本発明の実施の形態４について、図面を用いて詳細に説明する。
【０１７３】
本発明の実施の形態４に係るホームシアターシステムは、ＢＤプレーヤが備える２個のＨＤＭＩ出力部のうちＡＶアンプに接続されたＨＤＭＩ出力部のみがＣＥＣに対応する場合であっても、適切に入力切替を行うことができる。
【０１７４】
図２４は、実施の形態４に係るホームシアターシステムの構成の一例を示す図である。図２５は、実施の形態４に係るＴＶの詳細な構成の一例を示す図である。図２６は、実施の形態４に係るＢＤプレーヤの詳細な構成の一例を示す図である。
【０１７５】
なお、本実施の形態に係るホームシアターシステム４００の外観図、ならびに、ＡＶアンプの詳細な構成を示す図は、図１０または図１３と同様であるので図示を省略する。また、図２４〜図２６において、図１１、図１２または図１４と同じ構成要素については同じ符号を用い、説明を省略する。
【０１７６】
ＴＶ４１０は、本発明の実施の形態４における表示装置の一例である。また、ＢＤプレーヤ４４０は、本発明の実施の形態４における映像音声データ出力装置の一例である。
【０１７７】
図２４に示すように、ホームシアターシステム４００は、ＴＶ４１０と、ＡＶアンプ１２０と、ＢＤプレーヤ４４０とを備える。
【０１７８】
ＴＶ４１０は、図２５に示すように、第１ＨＤＭＩ入力部１１１と、第２ＨＤＭＩ入力部１１２と、音声出力部１１３と、ＣＥＣ通信部１１４と、機器情報保持部１１５と、判定部１１６と、入力切替部４１１と、表示部１１８とを備える。
【０１７９】
入力切替部４１１は、実施の形態１における入力切替部１１７と同様に、ＣＥＣコマンドまたはユーザ指示などに従って、表示部１１８に出力する映像データの入力を切り替える。ただし、入力切替部４１１は、出力開始通知コマンドを受信した場合、判定部１１６によって論理アドレスが一致すると判定されたときに、機器情報保持部１１５に当該論理アドレスと対応づけて保持された物理アドレスに従って入力を切り替える。
【０１８０】
ＢＤプレーヤ４４０は、図２６に示すように、第１ＨＤＭＩ出力部１４１、第２ＨＤＭＩ出力部１４２、ＣＥＣ通信部４４１、および再生部１４４を備える。
【０１８１】
第１ＨＤＭＩ出力部１４１は、ＣＥＣに対応し、第２ＨＤＭＩ出力部１４２は、ＣＥＣに対応しない。
【０１８２】
ＣＥＣ通信部４４１は、第２ＨＤＭＩ出力部１４２を介して、ＨＤＭＩ接続された他の機器へＣＥＣコマンドを送信または受信する。具体的には、ＣＥＣ通信部４４１は、例えば、再生部１４４によってコンテンツの再生が開始される際に、第２ＨＤＭＩ出力部１４２の物理アドレスが付加された＜Ａｃｔｉｖｅ  Ｓｏｕｒｃｅ＞コマンドをＨＤＭＩ接続された全機器へ送信する。なお、ＣＥＣ通信部１４３は、第１ＨＤＭＩ出力部１４１を介して、ＣＥＣコマンドを送受信しない。
【０１８３】
次に、以上のように構成されたホームシアターシステム４００において用いられる入力切替制御方法について、図２７を用いて説明する。具体的には、ホームシアターシステム４００によるワンタッチプレイ動作について説明する。
【０１８４】
図２７は、実施の形態４に係るホームシアターシステムにおいて、ＢＤプレーヤの電源がオンされた時および再生が開始された時のＣＥＣコマンドのシーケンス図である。
【０１８５】
（ＢＤプレーヤ４４０電源オン時の動作）
まず、ＢＤプレーヤ４４０のＣＥＣ通信部４４１は、電源がオンになったときに、第２ＨＤＭＩ出力部１４２からＴＶ４１０宛に、＜Ｎｏｔｉｆｙ  Ｃａｐａｂｉｌｉｔｙ＞コマンドを送信する（Ｓ４０１）。このとき、＜Ｎｏｔｉｆｙ  Ｃａｐａｂｉｌｉｔｙ＞コマンドには、ＢＤプレーヤ４４０が２個のＨＤＭＩ出力部を用いて映像データおよび音声データを出力することを示す［“二出力あり”］というパラメータと、第１ＨＤＭＩ出力部１４１の物理アドレス［１．０．０．０］とが付加される。なお、＜Ｎｏｔｉｆｙ  Ｃａｐａｂｉｌｉｔｙ＞コマンドは、ＨＤＭＩ規格で規定された標準コマンドではなく、ベンダー独自定義のコマンドである。
【０１８６】
続いて、ＴＶ４１０のＣＥＣ通信部１１４は、＜Ｎｏｔｉｆｙ  Ｃａｐａｂｉｌｉｔｙ＞コマンドを受信し、機器情報保持部２２１に通知する。そして、機器情報保持部２２１は、受信したコマンドに付加された、パラメータ［“二出力あり”］と物理アドレス［１．０．０．０］とを、＜Ｎｏｔｉｆｙ  Ｃａｐａｂｉｌｉｔｙ＞コマンドの送信元機器（ＢＤプレーヤ４４０）の論理アドレスに対応づけて保持する（Ｓ４０２）。
【０１８７】
（ＢＤプレーヤ４４０再生開始時のワンタッチプレイ動作）
ＢＤプレーヤ４４０の再生が開始されたとき、ＢＤプレーヤ４４０のＣＥＣ通信部４４１は、ＨＤＭＩ接続された全機器に向けて＜Ａｃｔｉｖｅ  Ｓｏｕｒｃｅ＞コマンドを送信する（Ｓ４０３）。＜Ａｃｔｉｖｅ  Ｓｏｕｒｃｅ＞コマンドには、ＢＤプレーヤ４４０の第２ＨＤＭＩ出力部１４２の物理アドレス［２．１．０．０］が付加される。
【０１８８】
ＡＶアンプ１２０の入力切替部１２７は、受信した＜Ａｃｔｉｖｅ  Ｓｏｕｒｃｅ＞コマンドに付加されている物理アドレス［２．１．０．０］の左から２個目の数値に従って、入力を第１ＨＤＭＩ入力部１２２からの入力に切り替える（Ｓ４０４）。
【０１８９】
ＴＶ４１０の判定部１１６は、受信した＜Ａｃｔｉｖｅ  Ｓｏｕｒｃｅ＞コマンドの送信元機器であるＢＤプレーヤ４４０の論理アドレスが、機器情報保持部１１５にパラメータ［“二出力あり”］と対応づけて保持されているか否かを判定し、判定結果をＣＥＣ通信部１１４に通知する（Ｓ４０５）。ここで、ＢＤプレーヤ４４０の論理アドレスがパラメータ［“二出力あり”］と対応づけて保持されているので、入力切替部４１１は、ＢＤプレーヤ４４０の論理アドレスに対応付けて保持されている第１ＨＤＭＩ出力部１４１の物理アドレス［１．０．０．０］を取得する。そして、入力切替部４１１は、取得した物理アドレス［１．０．０．０］の左から１個目の数値に従って入力を第１ＨＤＭＩ入力部１１１からの入力に切り替える（Ｓ４０５）。
【０１９０】
このような動作の結果、映像データおよび音声データは、実施の形態１（図１６）と同様に流れる。すなわち、ＢＤプレーヤ４４０の第１ＨＤＭＩ出力部１４１からＴＶ４１０に高品位映像データ（例えば３Ｄ映像データ）が伝送される。また、ＢＤプレーヤ４４０の第２ＨＤＭＩ出力部１４２からＡＶアンプ１２０に高品位音声データ（例えば７．１チャンネルサラウンド音声データ）が伝送される。
【０１９１】
なお、ＢＤプレーヤ４４０は、第１ＨＤＭＩ出力部１４１から高品位映像データと共に音声データ（例えば２チャンネル音声データ）を出力してもよい。また、ＢＤプレーヤ４４０は、第２ＨＤＭＩ出力部１４２から高品位音声データと共に映像データ（例えば２Ｄの通常映像データあるいは黒画面データ）を出力してもよい。
【０１９２】
以上の動作により、ユーザが手動で各機器の入力切替を実施しなくても、ホームシアターシステム４００は、ＢＤプレーヤ４４０が再生する高品位映像および高品位音声をユーザがＴＶ４１０およびＡＶアンプ１２０を用いて視聴するために必要な入力切替を自動的に実施することができる。このとき、ＡＶアンプに新規機能は不要であり、ホームシアターシステム４００は、従来のＡＶアンプをそのまま使用しても適切に入力切替を実施することができる。
【０１９３】
以上、本発明に係るホームシアターシステムについて、実施の形態に基づいて説明したが、本発明は、これらの実施の形態に限定されるものではない。本発明の趣旨を逸脱しない限り、当業者が思いつく各種変形を本実施の形態に施したもの、または異なる実施の形態における構成要素を組み合わせて構築される形態も、本発明の範囲内に含まれる。
【０１９４】
例えば、上記実施の形態１〜４に係るＴＶ１１０、ＡＶアンプ１２０、およびＢＤプレーヤ１４０の接続形態および物理アドレスの値は一例であり、異なる接続形態および物理アドレスの値であってもよい。
【０１９５】
また、上記実施の形態１〜４において、ＢＤプレーヤは、電源オン時に＜Ｎｏｔｉｆｙ  Ｃａｐａｂｉｌｉｔｙ＞コマンドを送信したが、電源オン時ではなく、他のタイミングに＜Ｎｏｔｉｆｙ  Ｃａｐａｂｉｌｉｔｙ＞コマンドを送信してもよい。例えば、ＴＶあるいはＡＶアンプから、機器情報を問い合わせる機器情報要求コマンドを受信したときに、ＢＤプレーヤは、＜Ｎｏｔｉｆｙ  Ｃａｐａｂｉｌｉｔｙ＞コマンドを送信してもよい。この場合、例えばＴＶあるいはＡＶアンプの電源がオンになったときに、ＴＶあるいはＡＶアンプは、機器情報を問い合わせる機器情報要求コマンドをＢＤプレーヤに送信すればよい。
【０１９６】
また、上記実施の形態１〜４において、ＢＤプレーヤは、ＴＶあるいはＡＶアンプ宛に＜Ｎｏｔｉｆｙ  Ｃａｐａｂｉｌｉｔｙ＞コマンドを送信したが、ＨＤＭＩ接続された全機器宛（Ｂｒｏａｄｃａｓｔ）に＜Ｎｏｔｉｆｙ  Ｃａｐａｂｉｌｉｔｙ＞コマンドを送信してもよい。
【０１９７】
また、上記実施の形態１〜４において、＜Ｎｏｔｉｆｙ  Ｃａｐａｂｉｌｉｔｙ＞コマンドには、ＢＤプレーヤが２個のＨＤＭＩ出力部を用いて映像データおよび音声データを出力することを示す［“二出力あり”］というパラメータと、第１ＨＤＭＩ出力部または第２ＨＤＭＩ出力部の物理アドレスとが付加されたが、それ以外の情報が付加されていても構わない。また、２個以上のＨＤＭＩ出力部を用いて映像データおよび音声データを出力することが示されれば、［“二出力あり”］というパラメータと異なるパラメータであってもよい。
【０１９８】
また、上記実施の形態１または２において、ＴＶは、入力切替指示コマンドとして＜Ｓｅｔ  Ｓｔｒｅａｍ  Ｐａｔｈ＞コマンドを送信したが、＜Ｓｅｔ  Ｓｔｒｅａｍ  Ｐａｔｈ＞コマンドとは異なるコマンドであっても構わない。例えば、入力切替指示コマンドは、入力切替を指示するベンダー独自定義コマンドであっても構わない。
【０１９９】
また、上記実施の形態において、ＢＤプレーヤは、再生開始時にワンタッチプレイ動作を実施したが、例えば、メニューを表示した時などにも、ワンタッチプレイ動作を実施してもよい。
【０２００】
また、上記実施の形態１〜４では、ホームシアターシステムは、ＢＤプレーヤを備えていたが、ＢＤレコーダあるいはセットトップボックス（ＳＴＢ：Ｓｅｔ  Ｔｏｐ  Ｂｏｘ）など２個のＨＤＭＩ出力部を用いて映像データおよび音声データを出力する他の映像音声データ出力機器をＢＤプレーヤの代わりに備えてもよい。
【０２０１】
また、ＴＶは、必ずしも音声出力部を備えなくてもよい。また、ＴＶは、デジタル放送、アナログ放送、衛星放送、ケーブルテレビ放送またはＩＰ放送などの放送信号を受信するためのチューナ（内部チューナ）を備えてもよい。
【０２０２】
また、上記実施の形態１〜４において、ＴＶおよびＡＶアンプが備えるＨＤＭＩ入力部の数は、それぞれ２個であったが、ＴＶは２個以上、ＡＶアンプは１個以上であれば、何個備えてもよい。
【０２０３】
また、上記実施の形態１〜４において、ＴＶまたはＡＶアンプは、＜Ｎｏｔｉｆｙ  Ｃａｐａｂｉｌｉｔｙ＞コマンドに付加された情報に従って機器情報を保持したが、異なる方法によって取得された情報に従って機器情報を保持してもよい。例えば、ＴＶまたはＡＶアンプは、設定登録画面等のユーザインタフェースを介してユーザが設定した情報に従って機器情報を保持してもよい。つまり、本発明に係るホームシアターシステムは、ワンタッチプレイが実行される前にあらかじめ機器情報が保持されていれば、適切にワンタッチプレイを動作させることができる。
【０２０４】
また、上記実施の形態１〜４において、機器情報保持部は、２個のＨＤＭＩ出力部を用いて映像データおよび音声データを出力することを示すパラメータを保持したが、必ずしもこのパラメータを保持する必要はない。例えば、機器情報保持部が２個のＨＤＭＩ出力部を用いて映像データおよび音声データを出力する装置の機器情報のみを保持する場合には、機器情報保持部は、上記のパラメータを保持する必要はない。この場合、判定部は、機器情報保持部に、＜Ａｃｔｉｖｅ  Ｓｏｕｒｃｅ＞コマンドの送信元機器の論理アドレスが保持されているか否かを判定すればよい。
【０２０５】
また、上記実施の形態１〜４において、ホームシアターシステムが備える各装置は、ＨＤＭＩケーブルにより接続されていたが、必ずしもケーブルにより接続される必要はない。例えば、ホームシアターシステムが備える各装置は、ＨＤＭＩ規格に準拠した無線技術により接続されてもよい。
【０２０６】
また、上記実施の形態１〜４では、本発明がホームシアターシステムに適用される場合について説明した。しかし、本発明は、家庭用、業務用に関わらず、表示装置、音声出力装置および映像音声データ出力装置を備えるＡＶシステムに適用できる。
【０２０７】
なお、本発明は、このような表示装置、音声出力装置または映像音声データ出力装置として実現することができるだけでなく、このような各装置が備える特徴的な構成部の動作をステップとする入力切替制御方法として実現することができる。
【産業上の利用可能性】
【０２０８】
本発明は、２個のＨＤＭＩ出力部を用いて映像データおよび音声データを出力する場合に、自動的に適切に各装置の入力を切り替えることができるホームシアターシステム等のＡＶシステムに適用できる。
【符号の説明】
【０２０９】
１、２、１００、２００、３００、４００  ホームシアターシステム
１０、１１０、３１０、４１０  ＴＶ
１１、２２、１１１、１２２  第１ＨＤＭＩ入力部
１２、２３、１１２、１２３  第２ＨＤＭＩ入力部
１３、１１３  音声出力部
２０、１２０、２２０、３２０  ＡＶアンプ
２１、３１、１２１  ＨＤＭＩ出力部
２４、１２４  音声入力部
２５、１２５  スピーカ出力部
３０、４０、１４０、４４０  ＢＤプレーヤ
４１、１４１  第１ＨＤＭＩ出力部
４２、１４２  第２ＨＤＭＩ出力部
６０、１６０  スピーカ
７０、１７０  ＨＤＭＩケーブル
８０、１８０  音声ケーブル
９０、１９０  スピーカケーブル
１１４、１２６、１４３、３１１、４４１  ＣＥＣ通信部
１１５、２２１  機器情報保持部
１１６、２２２  判定部
１１７、１２７、２２３、３２１、４１１  入力切替部
１１８  表示部
１４４  再生部
【図１】
2011066646.tif 000003
【図２】
2011066646.tif 000004
【図３】
2011066646.tif 000005
【図４】
2011066646.tif 000006
【図５】
2011066646.tif 000007
【図６】
2011066646.tif 000008
【図７】
2011066646.tif 000009
【図８】
2011066646.tif 000010
【図９】
2011066646.tif 000011
【図１０】
2011066646.tif 000012
【図１１】
2011066646.tif 000013
【図１２】
2011066646.tif 000014
【図１３】
2011066646.tif 000015
【図１４】
2011066646.tif 000016
【図１５】
2011066646.tif 000017
【図１６】
2011066646.tif 000018
【図１７】
2011066646.tif 000019
【図１８】
2011066646.tif 000020
【図１９】
2011066646.tif 000021
【図２０】
2011066646.tif 000022
【図２１】
2011066646.tif 000023
【図２２】
2011066646.tif 000024
【図２３】
2011066646.tif 000025
【図２４】
2011066646.tif 000026
【図２５】
2011066646.tif 000027
【図２６】
2011066646.tif 000028
【図２７】
2011066646.tif 000029